(57)【要約】  本出願の実施例はＤ２Ｄ通信のための方法とＤ２Ｄ装置を提供する。該方法は、Ｄ２Ｄ装置がリソースプールのターゲットリソースを確定することと、Ｄ２Ｄ装置がターゲットリソースに基づいてリソースプールのリソース使用パラメータを確定することと、を含み、リソースプールがＤ２Ｄ通信に用いられ、ターゲットリソースがリソースプール中の占有されたリソース又はリソースプール中の衝突リソースであり、衝突リソースがリソースプール中の複数のＤ２Ｄ信号に同時に占有されたリソースであり、リソース使用パラメータが占有されたリソースとリソースプールの総リソースとの比率を示すことに用いられ、又はリソース使用パラメータが衝突リソースとリソースプールの総リソースとの比率を示すことに用いられる。
2019513319.tif 000002
【特許請求の範囲】
【請求項１】
デバイスツーデバイスＤ２Ｄ通信のための方法であって、
第一のＤ２Ｄ装置がリソースプールのターゲットリソースを確定することと、
前記第一のＤ２Ｄ装置が前記ターゲットリソースに基づいて前記リソースプールのリソース使用パラメータを確定することと、を含み、
前記リソースプールがＤ２Ｄ通信に用いられ、前記ターゲットリソースが前記リソースプール中の占有されたリソース又は前記リソースプール中の衝突リソースであり、前記衝突リソースが前記リソースプール中の複数のＤ２Ｄ信号に同時に占有されたリソースであり、
前記リソース使用パラメータが前記占有されたリソースと前記リソースプールの総リソースとの比率を示すことに用いられ、又は前記リソース使用パラメータが前記衝突リソースと前記リソースプールの総リソースとの比率を示すことに用いられることを特徴とする、
Ｄ２Ｄ通信方法。
【請求項２】
前記方法は、
前記リソース使用パラメータが第一の閾値より小さい場合、前記第一のＤ２Ｄ装置が前記リソース使用パラメータが前記第一の閾値より小さいというイベントをネットワーク装置に報告することをさらに含むことを特徴とする、
請求項１に記載の方法。
【請求項３】
前記方法は、
予め設定された期間内で、前記リソース使用パラメータが第一の閾値より小さい場合、前記第一のＤ２Ｄ装置が前記リソース使用パラメータが前記第一の閾値より小さいというイベントをネットワーク装置に報告することをさらに含むことを特徴とする、
請求項１又は２に記載の方法。
【請求項４】
前記リソース使用パラメータが前記第一の閾値より小さいというイベントは、前記ネットワーク装置が前記リソースプールを縮小又は統合するようにトリガすることに用いられることを特徴とする、
請求項２又は３に記載の方法。
【請求項５】
前記第一のＤ２Ｄ装置が前記リソース使用パラメータが前記第一の閾値より小さいというイベントをネットワーク装置に報告した後に、前記方法は、
前記第一のＤ２Ｄ装置が前記リソースプールの使用を一時停止することをさらに含むことを特徴とする、
請求項２乃至４のいずれか１項に記載の方法。
【請求項６】
前記Ｄ２Ｄ装置が前記リソースプールの使用を一時停止することは、
前記第一のＤ２Ｄ装置が前記ネットワーク装置から送信された第一の指示情報を受信することと、
前記第一のＤ２Ｄ装置が前記第一の指示情報に基づいて前記リソースプールの使用を一時停止することとを含み、
前記第一の指示情報が前記リソースプールの使用を一時停止するように前記Ｄ２Ｄ装置に指示することに用いられることを特徴とする、
請求項５に記載の方法。
【請求項７】
前記方法は、
前記リソース使用パラメータが第二の閾値より大きい場合、前記ネットワーク装置が前記リソースプールのリソースを再割り当てることができるように、前記第一のＤ２Ｄ装置が前記リソース使用パラメータが前記第二の閾値より大きいというイベントをネットワーク装置に報告することをさらに含むことを特徴とする、
請求項１乃至６のいずれか１項に記載の方法。
【請求項８】
前記方法は、
前記リソース使用パラメータが第二の閾値より大きい場合、前記第一のＤ２Ｄ装置がリソースプールを再選択することをさらに含むことを特徴とする、
請求項１乃至７のいずれか１項に記載の方法。
【請求項９】
前記方法は、
前記リソース使用パラメータが第二の閾値より小さく且つ第三の閾値より大きい場合、前記ネットワーク装置が前記リソースプールのリソースを衝突回避の方式で使用するように前記リソースプールのＤ２Ｄ装置に指示することができるように、前記第一のＤ２Ｄ装置が前記リソース使用パラメータが前記第二の閾値より小さく且つ前記第三の閾値より大きいというイベントをネットワーク装置に報告することをさらに含むことを特徴とする、
請求項１乃至８のいずれか１項に記載の方法。
【請求項１０】
前記方法は、
前記リソース使用パラメータが第二の閾値より小さく且つ第三の閾値より大きい場合、前記第一のＤ２Ｄ装置が前記リソースプールの他のＤ２Ｄ装置へ第二の指示情報を送信することさらに含み、
前記第二の指示情報が前記リソースプールのリソースを衝突回避の方式で使用するように前記他のＤ２Ｄ装置に指示することに用いられることを特徴とする、
請求項１乃至９のいずれか１項に記載の方法。
【請求項１１】
前記方法は、
前記リソース使用パラメータが第二の閾値より小さく且つ第三の閾値より大きい場合、前記ネットワーク装置が前記リソースプールのリソースを再割り当てることができるように、前記第一のＤ２Ｄ装置が前記リソース使用パラメータが前記第二の閾値より小さく且つ前記第三の閾値より大きいというイベントをネットワーク装置に報告することをさらに含むことを特徴とする、
請求項１乃至１０のいずれか１項に記載の方法。
【請求項１２】
前記第一のＤ２Ｄ装置がリソースプールのリソース使用パラメータを確定することは、
前記第一のＤ２Ｄ装置が前記リソースプールの予め設定されたリソースで前記リソースプールの他のＤ２Ｄ装置から送信されたスケジューリング情報を受信することと、
前記Ｄ２Ｄ装置が前記スケジューリング情報に基づき、前記リソース使用パラメータを確定することとを含み、
前記スケジューリング情報が前記他のＤ２Ｄ装置のデータを搬送するリソースの前記リソースプールでの位置を示すことに用いられることを特徴とする、
請求項１乃至１１のいずれか１項に記載の方法。
【請求項１３】
前記第一のＤ２Ｄ装置がリソースプールのリソース使用パラメータを確定することは、
前記第一のＤ２Ｄ装置が前記リソースプールのリソースを使用するＤ２Ｄ信号のエネルギーを検出すること、
前記第一のＤ２Ｄ装置が前記Ｄ２Ｄ信号のエネルギーに基づき、前記リソース使用パラメータを確定することを含むことを特徴とする、
請求項１乃至１１のいずれか１項に記載の方法。
【請求項１４】
前記リソースプールのＤ２Ｄ装置の伝送内容が優先度を有し、前記リソース使用パラメータが第二の閾値より大きい場合、前記第一のＤ２Ｄ装置はＤ２Ｄ通信を衝突回避の方式で行い、又はＤ２Ｄ通信を停止し、又は
前記リソースプールのＤ２Ｄ装置の伝送内容が優先度を有し、前記リソース使用パラメータが第二の閾値より小さく且つ第三の閾値より大きい場合、前記第一のＤ２Ｄ装置はＤ２Ｄ通信を衝突回避の方式で行い、又はＤ２Ｄ通信を停止し、
ここで、前記第一のＤ２Ｄ装置は前記リソースプールの伝送内容の優先度が優先度閾値以下であるＤ２Ｄ装置であることを特徴とする、
請求項１乃至１３のいずれか１項に記載の方法。
【請求項１５】
前記リソースプールの各Ｄ２Ｄ装置の伝送内容の優先度情報は前記各Ｄ２Ｄ装置によって予め設定されたリソースで送信されたスケジューリング情報に含まれることを特徴とする、
請求項１４に記載の方法。
【請求項１６】
前記方法は、
前記第一のＤ２Ｄ装置がネットワーク装置から送信された第三の指示情報を受信することと、
前記第一のＤ２Ｄ装置が前記第三の指示情報に基づいてＤ２Ｄ通信を衝突回避の方式で行い、又はＤ２Ｄ通信を停止することと、
をさらに含み、
前記第三の指示情報がＤ２Ｄ通信を衝突回避の方式で行い、又はＤ２Ｄ通信を停止するように前記リソースプールの伝送内容の優先度が前記優先度閾値以下であるＤ２Ｄ装置に指示することに用いられることを特徴とする、
請求項１４又は１５に記載の方法。
【請求項１７】
前記リソースプールに前記リソース使用パラメータに対応する少なくとも一つの閾値が設定されていることを特徴とする、
請求項１乃至１６のいずれか１項に記載の方法。
【請求項１８】
デバイスツーデバイスＤ２Ｄ装置であって、第一の確定ユニットと、第二の確定ユニットとを備え、
第一の確定ユニットは、リソースプールのターゲットリソースを確定するように構成され、前記リソースプールがＤ２Ｄ通信に用いられ、前記ターゲットリソースが前記リソースプール中の占有されたリソース又は前記リソースプール中の衝突リソースであり、前記衝突リソースが前記リソースプール中の複数のＤ２Ｄ信号に同時に占有されたリソースであり、
第二の確定ユニットは、前記ターゲットリソースに基づいて前記リソースプールのリソース使用パラメータを確定するように構成され、前記リソース使用パラメータが前記占有されたリソースと前記リソースプールの総リソースとの比率を示すことに用いられ、又は前記リソース使用パラメータが前記衝突リソースと前記リソースプールの総リソースとの比率を示すことに用いられることを特徴とする、
デバイスツーデバイスＤ２Ｄ装置。
【請求項１９】
前記Ｄ２Ｄ装置は、
前記リソース使用パラメータが第一の閾値より小さい場合、前記リソース使用パラメータが前記第一の閾値より小さいというイベントをネットワーク装置に報告するように構成される第一の報告ユニットをさらに備えることを特徴とする、
請求項１８に記載のＤ２Ｄ装置。
【請求項２０】
前記Ｄ２Ｄ装置は、
予め設定された期間内で、前記リソース使用パラメータが第一の閾値より小さい場合、前記リソース使用パラメータが前記第一の閾値より小さいというイベントをネットワーク装置に報告するように構成される第二の報告ユニットをさらに備えることを特徴とする
請求項１８又は１９に記載のＤ２Ｄ装置。
【請求項２１】
前記リソース使用パラメータが前記第一の閾値より小さいというイベントは、前記ネットワーク装置が前記リソースプールを縮小又は統合するようにトリガすることに用いられることを特徴とする、
請求項１９又は２０に記載のＤ２Ｄ装置。
【請求項２２】
前記Ｄ２Ｄ装置は、
前記リソース使用パラメータが前記第一の閾値より小さいというイベントをネットワーク装置に報告した後に、前記ターゲットリソースの使用を一時停止するように構成される一時停止ユニットをさらに備えることを特徴とする、
請求項１９乃至２１のいずれか１項に記載のＤ２Ｄ装置。
【請求項２３】
前記一時停止ユニットは、具体的に、
前記リソース使用パラメータが前記第一の閾値より小さいというイベントをネットワーク装置に報告した後に、前記ネットワーク装置から送信された第一の指示情報を受信し、
前記第一の指示情報に基づいて前記ターゲットリソースの使用を一時停止するように構成され、
前記第一の指示情報が前記ターゲットリソースの使用を一時停止するように前記Ｄ２Ｄ装置に指示することに用いられることを特徴とする、
請求項２２に記載のＤ２Ｄ装置。
【請求項２４】
前記Ｄ２Ｄ装置は、
前記リソース使用パラメータが第二の閾値より大きい場合、前ネットワーク装置が前記リソースプールのリソースを再割り当てることができるように、前記リソース使用パラメータが前記第二の閾値より大きいというイベントをネットワーク装置に報告するように構成される第三の報告ユニットをさらに備えることを特徴とする、
請求項１８乃至２３のいずれか１項に記載のＤ２Ｄ装置。
【請求項２５】
前記Ｄ２Ｄ装置は、
前記リソース使用パラメータが第二の閾値より大きい場合、リソースプールを再選択するように構成される選択ユニットをさらに備えることを特徴とする、
請求項１８乃至２４のいずれか１項に記載のＤ２Ｄ装置。
【請求項２６】
前記Ｄ２Ｄ装置は、
前記リソース使用パラメータが第二の閾値より小さく且つ第三の閾値より大きい場合、前記ネットワーク装置が前記リソースプールのリソースを衝突回避の方式で使用するように前記リソースプール中のＤ２Ｄ装置に指示することができるように、前記リソース使用パラメータが前記第二の閾値より小さく且つ前記第三の閾値より大きいというイベントをネットワーク装置に報告するように構成される第四の報告ユニットをさらに備えることを特徴とする、
請求項１８乃至２５のいずれか１項に記載のＤ２Ｄ装置。
【請求項２７】
前記Ｄ２Ｄ装置は、
前記リソース使用パラメータが第二の閾値より小さく且つ第三の閾値より大きい場合、前記リソースプールの他のＤ２Ｄ装置へ第二の指示情報を送信するように構成される第一の送信ユニットをさらに備え、
前記第二の指示情報が前記リソースプールのリソースを衝突回避の方式で使用するように前記他のＤ２Ｄ装置に指示することに用いられることを特徴とする、
請求項１８乃至２６のいずれか１項に記載のＤ２Ｄ装置。
【請求項２８】
前記Ｄ２Ｄ装置は、
前記リソース使用パラメータが第二の閾値より小さく且つ第三の閾値より大きい場合、前記ネットワーク装置が前記リソースプールのリソースを再割り当てることができるように、前記リソース使用パラメータが前記第二の閾値より小さく且つ前記第三の閾値より大きいというイベントをネットワーク装置に報告するように構成される第五の報告ユニットをさらに備えることを特徴とする、
請求項１８乃至２７のいずれか１項に記載のＤ２Ｄ装置。
【請求項２９】
前記第二の確定ユニットは、具体的に、
前記リソースプールの予め設定されたリソースで他のＤ２Ｄ装置から送信されたスケジューリング情報を受信し、
前記スケジューリング情報に基づき、前記リソース使用パラメータを確定するように構成され、
前記スケジューリング情報が前記他のＤ２Ｄ装置のデータを搬送するリソースの前記リソースプールでの位置を示すことに用いられることを特徴とする、
請求項１８乃至２８のいずれか１項に記載のＤ２Ｄ装置。
【請求項３０】
前記第二の確定ユニットは、具体的に、
前記リソースプールのリソースを使用するＤ２Ｄ信号のエネルギーを検出し、前記Ｄ２Ｄ信号のエネルギーに基づき、前記リソース使用パラメータを確定するようにさらに構成されることを特徴とする、
請求項１８乃至２８のいずれか１項に記載のＤ２Ｄ装置。
【請求項３１】
前記リソースプールのＤ２Ｄ装置の伝送内容が優先度を有し、前記Ｄ２Ｄ装置は、通信ユニットをさらに備え、
通信ユニットは、前記リソース使用パラメータが第二の閾値より大きい場合、Ｄ２Ｄ通信を衝突回避の方式で行い、Ｄ２Ｄ通信を停止するように構成され、又は、
通信ユニットは、前記リソース使用パラメータが第二の閾値より小さく且つ第三の閾値より大きい場合、Ｄ２Ｄ通信を衝突回避の方式で行い、又はＤ２Ｄ通信を停止するようにさらに構成され、
ここで、前記Ｄ２Ｄ装置は前記リソースプールの伝送内容の優先度が優先度閾値以下であるＤ２Ｄ装置であることを特徴とする、
請求項１８乃至３０のいずれか１項に記載のＤ２Ｄ装置。
【請求項３２】
前記リソースプールの各Ｄ２Ｄ装置の伝送内容の優先度情報は前記各Ｄ２Ｄ装置によって予め設定されたリソースで送信されたスケジューリング情報に含まれることを特徴とする、
請求項３１に記載のＤ２Ｄ装置。
【請求項３３】
前記Ｄ２Ｄ装置は、
ネットワーク装置から送信された第三の指示情報を受信するように構成される受信ユニットをさらに備え、前記第三の指示情報が、Ｄ２Ｄ通信を衝突回避の方式で行い、又はＤ２Ｄ通信を停止するように、前記リソースプールの伝送内容の優先度が前記優先度閾値以下であるＤ２Ｄ装置に指示することに用いられ、
前記通信ユニットは、具体的に前記第三の指示情報に基づいてＤ２Ｄ通信を衝突回避の方式で行い、又はＤ２Ｄ通信を停止するように構成されることを特徴とする、
請求項３１又は３２に記載のＤ２Ｄ装置。
【請求項３４】
前記リソースプールに前記リソース使用パラメータに対応する少なくとも一つの閾値が設定されていることを特徴とする、
請求項１８乃至３３のいずれか１項に記載のＤ２Ｄ装置。
【発明の詳細な説明】
【関連出願の参照】
【０００１】
本出願は、２０１６年３月１８日に中国特許庁に提出された出願番号がＰＣＴ／ＣＮ２０１６／０７６８０７で、発明の名称が「Ｄ２Ｄ通信のための方法とＤ２Ｄ装置」であるＰＣＴ特許出願優先権を主張し、その全ての内容は参照により本明細書に組み込まれる。本出願は、２０１６年４月１５日に中国特許庁に提出された出願番号がＰＣＴ／ＣＮ２０１６／０７９４５６で、発明の名称が「Ｄ２Ｄ通信のための方法とＤ２Ｄ装置」であるＰＣＴ特許出願優先権を主張し、その全ての内容は参照により本明細書に組み込まれる。本出願は、２０１６年５月１２日に中国特許庁に提出された出願番号がＰＣＴ／ＣＮ２０１６／０８１８７８で、発明の名称が「Ｄ２Ｄ通信のための方法、Ｄ２Ｄ装置と基地局」であるＰＣＴ特許出願優先権を主張し、その全ての内容は参照により本明細書に組み込まれる。
【技術分野】
【０００２】
本出願の実施例は無線通信分野に関し、且つより具体的には、デバイスツーデバイス（Ｄ２Ｄ：Ｄｅｖｉｃｅ  ｔｏ  Ｄｅｖｉｃｅ）通信のための方法とＤ２Ｄ装置に関する。
【背景技術】
【０００３】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）  Ｒｅｌｅａｓｅ−１２＆１３において、Ｄ２Ｄ通信が既に標準化されている。Ｒｅｌｅａｓｅ−１２＆１３の仕様には、Ｄ２Ｄ通信のためのＤ２Ｄリソースの割り当て方式は、ネットワークによるリソース割り当て方式と、Ｄ２Ｄ装置による自主的な割り当て方式との二つ種類があり得る。ネットワークによるリソース割り当て方式は、ネットワーク装置によってＤ２Ｄリソースを割り当てることであり、この割り当て方式は、主にセルラーネットワークのカバレッジがある場合に適する。Ｄ２Ｄ装置による自主的な割り当て方式は、Ｄ２Ｄ装置によってＤ２Ｄリソースを自主的に選択することが可能であり、例えば、Ｄ２Ｄ装置が予め規定されたリソース割り当てパターンに基づいてＤ２Ｄリソースをランダムに選択することであり、この割り当て方式は、セルラーネットワークのカバレッジがある場合に加えて、セルラーネットワークのカバレッジがない場合にも適することが可能である。Ｒｅｌｅａｓｅ−１２＆１３のＤ２Ｄにおいて、Ｄ２Ｄ装置によってリソースを自主的に割り当てる場合、リソースの割り当てに対して全体的に制御を行う中心スケジューリングノード（例えばネットワーク装置）がないため、Ｄ２Ｄ装置又はネットワークはＤ２Ｄリソースの使用状況を把握することができなく、これにより、Ｄ２Ｄリソースの使用方式が不合理になることを引き起こしやすい。例えば、Ｄ２Ｄ装置又はネットワークがＤ２Ｄリソースの使用状況を把握することができない場合、Ｄ２Ｄ装置はＤ２Ｄリソースを不均等に使用する可能性があり、これにより、いくつかのＤ２Ｄリソースの負荷が大きく、いくつかのＤ２Ｄリソースの負荷が軽い状況が引き起こされる。また、例えばＤ２Ｄ装置がＤ２Ｄリソースの使用状況を把握することができない場合、二つ又は複数のＤ２Ｄ装置は、重ねられたリソースにおいてＤ２Ｄ信号を同時に送信する可能性があり、深刻な相互干渉にとなる。また、例えばＤ２Ｄ装置がＤ２Ｄリソースの使用状況を把握することができない場合、Ｄ２Ｄ装置の分布密度が低い時に、個別のＤ２Ｄ装置に割り当てられるリソースプールもリソースの深刻な浪費を引き起こす可能性がある。
【発明の概要】
【０００４】
本出願は、Ｄ２Ｄ装置によってリソースを自主的に割り当てる場合、Ｄ２Ｄリソースの使用状況を把握することができない課題を解決することができるように、Ｄ２Ｄ通信のための方法とＤ２Ｄ装置を提供する。
【０００５】
第一の態様において、Ｄ２Ｄ通信のための方法を提供し、第一のＤ２Ｄ装置がリソースプールのターゲットリソースを確定し、前記リソースプールがＤ２Ｄ通信に用いられ、ターゲットリソースが前記リソースプール中の占有されたリソース又は前記リソースプール中の衝突リソースであり、前記衝突リソースが前記リソースプール中の複数のＤ２Ｄ信号に同時に占有されたリソースであることと、前記第一のＤ２Ｄ装置が前記ターゲットリソースに基づいて前記リソースプールのリソース使用パラメータを確定し、前記リソース使用パラメータが前記占有されたリソースと前記リソースプールの総リソースとの比率を示すことに用いられ、又は前記リソース使用パラメータが前記衝突リソースと前記リソースプールの総リソースとの比率を示すことに用いられることとを含む。
【０００６】
リソースプールのリソース使用パラメータを確定することにより、Ｄ２Ｄ装置は、前記リソースプールの使用状況を容易に取得することができ、それによってその後の負荷均衡、衝突処理に参考を提供する。
【０００７】
選択可能に、前記リソースプールはＤ２Ｄ装置の現在使用されているリソースプールであってもよく、前記リソースプールはＤ２Ｄ装置の特定の期間内で使用されるリソースプールであってもよく、前記リソース使用パラメータは、特定の期間内で占有されるリソースが該特定の期間内のリソースプールの総リソースに占める割合を示すことに用いられ、又は、前記リソース使用パラメータは、特定の期間内で前記衝突リソースが該特定の期間内のリソースプールの総リソースに占める割合を示すことに用いられ、即ちリソース使用パラメータは、Ｄ２Ｄ装置によって検出されたリアルタイムなパラメータであってもよく、Ｄ２Ｄ装置によって検出された一定期間内のパラメータであってもよく、具体的にリアルタイムなリソース使用パラメータであるかそれとも一定期間内のリソース使用パラメータであるかは、ネットワーク構成又はプロトコルにより規定されてもよく、該特定の期間がネットワークによって設定されてもよく、プロトコルによって規定されてもよい。
【０００８】
第一の態様と組み合わせ、第一の態様のいくつかの実施形態において、前記方法は、前記リソース使用パラメータが第一の閾値より小さい場合、前記第一のＤ２Ｄ装置が前記リソース使用パラメータが前記第一の閾値より小さいというイベントをネットワーク装置に報告することをさらに含む。
【０００９】
リソースプールのリソース使用パラメータが第一の閾値より小さいことは、通常、リソース割り当ての不合理に起因するものであるが、本実施形態において、第一のＤ２Ｄがリソース使用パラメータが第一の閾値より小さいというイベントを報告し、その後ネットワーク装置が該第一のイベントに基づいてリソースプールのリソースを再割り当て、これにより、Ｄ２Ｄリソースの使用はより合理的になり、具体的には、ネットワーク装置は、現在のリソースプールを縮小又は統合することができ、これにより、リソースの利用率を向上させることが可能となる。
【００１０】
該リソースプールには少なくとも一つのＤ２Ｄ装置が含まれ、該少なくとも一つのＤ２Ｄ装置が該第一のＤ２Ｄ装置を含む。
【００１１】
第一の態様と組み合わせ、第一の態様のいくつかの実施形態において、前記方法は、予め設定された期間内で、前記リソース使用パラメータが第一の閾値より小さい場合、前記第一のＤ２Ｄ装置が前記リソース使用パラメータが前記第一の閾値より小さいというイベントをネットワーク装置に報告することをさらに含む。
【００１２】
第一の態様と組み合わせ、第一の態様のいくつかの実施形態において、前記リソース使用パラメータが前記第一の閾値より小さいというイベントは、前記ネットワーク装置が前記リソースプールを縮小又は統合するようにトリガすることに用いられる。一つの例において、前記イベントは、前記ネットワーク装置がＤ２Ｄ通信リソースを再割り当てるようにトリガすることに用いられてもよい。
【００１３】
第一の態様と組み合わせ、第一の態様のいくつかの実現形態において、前記第一のＤ２Ｄ装置が前記リソース使用パラメータが前記第一の閾値より小さいというイベントをネットワーク装置に報告した後、前記方法は、前記第一のＤ２Ｄ装置が前記ターゲットリソースの使用を一時停止することをさらに含む。
【００１４】
ネットワーク装置がＤ２Ｄリソースを再割り当てることができるように、第一のＤ２Ｄ装置がリソース使用パラメータが前記第一の閾値より小さいというイベントをネットワーク装置に報告した後に、該リソースプール中のターゲットリソースの使用を直ちに一時停止し、又は、第一のＤ２Ｄ装置がリソース使用パラメータが第一の閾値より小さいというイベントをネットワーク装置に報告した後、該ネットワーク装置は、該リソースプール中のターゲットリソースの使用を一時停止するように該リソースプール中の他のＤ２Ｄ装置に指示し、他のＤ２Ｄ装置は、ネットワーク装置からの指示を受信した後に該リソースプールの使用を直ちに一時停止してもよく、又はネットワーク装置からの指示を受信した後の特定の期間内で該リソースプールの使用を一時停止してもよく、Ｄ２Ｄ装置が該リソースプールの使用を一時停止する具体的な時間長はプロトコルに従って規定され、又はネットワークによって設定されることができる。
【００１５】
選択可能に、第一のＤ２Ｄ装置がリソース使用パラメータが前記第一の閾値より小さいというイベントをネットワーク装置に報告した後の第一の期間の後に、Ｄ２Ｄ装置は、現在のターゲットリソースの使用を一時停止し、該第一の期間がネットワーク装置によって第一のＤ２Ｄ装置のために設定されたものであってもよく、又はプロトコルに規定されたものであってもよい。
【００１６】
第一の態様と組み合わせ、第一の態様のいくつかの実施形態において、前記Ｄ２Ｄ装置が前記リソースプールの使用を一時停止することは、前記Ｄ２Ｄ装置が前記ネットワーク装置から送信された第一の指示情報を受信し、前記第一の指示情報が前記リソースプールの使用を一時停止するように前記Ｄ２Ｄ装置に指示することに用いられること、前記Ｄ２Ｄ装置が前記第一の指示情報に基づいて前記リソースプールの使用を一時停止することを含む。
【００１７】
選択可能に、ネットワーク装置は、該リソースプールの使用を一時停止するように該リソースプールの部分又は全部のＤ２Ｄ装置に指示してもよく、該リソースプールの使用を一時停止するように第一のＤ２Ｄ装置に指示してもよい。
【００１８】
第一の態様と組み合わせ，第一の態様のいくつかの実施形態において、前記方法は、前記リソース使用パラメータが第二の閾値より大きい場合、前記第一のＤ２Ｄ装置が前記リソース使用パラメータが前記第二の閾値より大きいというイベントをネットワーク装置に報告することをさらに含む。
【００１９】
第一の態様と組み合わせ、第一の態様のいくつかの実施形態において、前記イベントは、前記ネットワーク装置がＤ２Ｄリソースを再割り当てるようにトリガすることに用いられる。一つの例において、前記イベントは、前記ネットワーク装置がＤ２Ｄ通信リソースを再割り当てるようにトリガすることに用いられてもよい。
【００２０】
リソースプールのリソース使用パラメータが第二の閾値より大きいことは、通常、リソースプールのリソース割り当ての不合理に起因するものであるが、本実施形態において、第一のＤ２Ｄ装置がリソース使用パラメータが第二の閾値より大きいというイベントを報告し、その後ネットワーク装置がリソースプールを再割り当て、これにより、Ｄ２Ｄリソースの使用はより合理的になる。
【００２１】
第一の態様と組み合わせ、第一の態様のいくつかの実施形態において、前記イベントは、前記ネットワーク装置が前記第一のＤ２Ｄ装置の動作モードを第二の動作モードから第一の動作モードに切り替えるようにトリガすることに用いられ、前記第一の動作モードにおける第一のＤ２Ｄ装置に使用されるリソースが、前記ネットワークによって割り当てられるものであり、前記第二の動作モードにおける第一のＤ２Ｄ装置に使用されるリソースが前記第一のＤ２Ｄ装置によって自主的に選択されるものである。
【００２２】
第一の態様と組み合わせ、第一の態様のいくつかの実施形態において、前記イベントは、前記ネットワーク装置が前記第一のＤ２Ｄ装置の動作モードを第二の動作モードから第三の動作モードに切り替えるようにトリガすることに用いられ、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェース（Ｕｕインタフェース）に基づいてＤ２Ｄ通信を行う。
【００２３】
第一の態様と組み合わせ、第一の態様のいくつかの実施形態において、前記方法は、前記リソース使用パラメータが第二の閾値より大きい場合、前記ネットワーク装置がリソースプールの使用状況を改善することができるように、前記第一のＤ２Ｄ装置が前記リソース使用パラメータが前記第二の閾値より大きいというイベントをネットワーク装置に報告する。
【００２４】
第一の態様と組み合わせ、第一の態様のいくつかの実施形態において、前記ネットワーク装置がリソースプールの使用状況を改善することは、前記ネットワーク装置がＤ２Ｄリソースを再割り当てることを含む。
【００２５】
第一の態様と組み合わせ、第一の態様のいくつかの実施形態において、前記ネットワーク装置がリソースプールの使用状況を改善することは、前記ネットワーク装置が前記Ｄ２Ｄ装置の動作モードを第二の動作モードから第一の動作モードに切り替えることを含み、前記第一の動作モードにおける第一のＤ２Ｄ装置に使用されるリソースが前記ネットワーク装置によって割り当てられ、前記第二の動作モードにおける第一のＤ２Ｄ装置に使用されるリソースが前記第一のＤ２Ｄ装置によって自主的に選択される。
【００２６】
第一の態様と組み合わせ、第一の態様のいくつかの実施形態において、前記ネットワーク装置がリソースプールの使用状況を改善することは、前記ネットワーク装置が前記第一のＤ２Ｄ装置の動作モードを第二の動作モードから第三の動作モードに切り替えることを含み、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェース（Ｕｕインタフェース）に基づいてＤ２Ｄ通信を行う。
【００２７】
第一の態様と組み合わせ、第一の態様のいくつかの実施形態において、前記方法は、前記リソース使用パラメータが第二の閾値より大きい場合、前記Ｄ２Ｄ装置がリソースプールを再選択することをさらに含む。
【００２８】
本実施形態ではリソースプールに第二の閾値が設定され、Ｄ２Ｄ装置がリソースプールのリソース使用パラメータが該第二の閾値より大きいことを検出した場合、該Ｄ２Ｄ装置がリソースプールを再選択し、これにより、Ｄ２Ｄリソースの使用はより合理的になることができる。
【００２９】
第一の態様と組み合わせ、第一の態様のいくつかの実施形態において、前記衝突リソースが前記リソースプール中の複数のＤ２Ｄ信号に同時に占有されたリソースであることは、前記衝突リソースが前記リソースプール中の複数セットのＤ２Ｄ装置によって同時に占有されたリソースであると記述されてもよい。
【００３０】
第一の態様と組み合わせ、第一の態様のいくつかの実施形態において、Ｄ２Ｄ通信のためのリソースプールは複数のリソースプールを含むことができる。
【００３１】
第一の態様と組み合わせ、第一の態様のいくつかの実施形態において、第二の閾値は、リソースプールのリソースが非常に乏しいこと又はリソースプールのリソースが深刻に衝突することを示すことができる。
【００３２】
第一の態様と組み合わせ、第一の態様のいくつかの実施形態において、前記ネットワーク装置がＤ２Ｄリソースを再割り当てることは、前記ネットワーク装置が前記リソースプールにリソースを追加することであってもよい。
【００３３】
第一の態様と組み合わせ、第一の態様のいくつかの実施形態において、前記ネットワーク装置がＤ２Ｄリソースを再割り当てることは、前記ネットワーク装置がリソース使用パラメータが第一の閾値より小さい複数のリソースプールのリソースを統合することであってもよい。
【００３４】
第一の態様と組み合わせ、第一の態様のいくつかの実施形態において、前記ネットワーク装置がＤ２Ｄリソースを再割り当てることは、前記ネットワーク装置が第一の閾値より小さいというイベントに対応するＤ２Ｄ装置の現在のリソースプール中の少なくとも部分のリソースを前記第二の閾値より大きいというイベントに対応するＤ２Ｄ装置のリソースプールに追加することであってよく、即ちリソース占有率が小さいリソースプールのリソースをリソース占有率が大きいリソースプールに割り当ててもよく、又はリソース衝突率が小さいリソースプールのリソースをリソース衝突率が大きいリソースプールに割り当ててもよい。
【００３５】
第一の態様と組み合わせ、第一の態様のいくつかの実施形態において、前記方法は、前記リソース使用パラメータが第二の閾値より小さく且つ第三の閾値より大きい場合、前記ネットワーク装置が前記リソースプールのリソースを衝突回避の方式で使用するように前記リソースプールのＤ２Ｄ装置に指示することができるように、前記第一のＤ２Ｄ装置が前記リソース使用パラメータが前記第二の閾値より小さく且つ前記第三の閾値より大きいというイベントをネットワーク装置に報告することをさらに含む。
【００３６】
前記リソースプールのリソースを衝突回避の方式で使用するようにリソースプールのＤ２Ｄ装置に指示することにより、リソースプールのリソースが衝突することを減少させることができる。
【００３７】
第一の態様と組み合わせ、第一の態様のいくつかの実施形態において、前記方法は、前記リソース使用パラメータが第二の閾値より小さく且つ第三の閾値より大きい場合、前記第一のＤ２Ｄ装置が前記リソースプールの他のＤ２Ｄ装置へ第二の指示情報を送信し、前記第二の指示情報が前記リソースプールのリソースを衝突回避の方式で使用するように前記他のＤ２Ｄ装置に指示することに用いられることをさらに含む。
【００３８】
前記リソースプールのリソースを衝突回避の方式で使用するようにリソースプールのＤ２Ｄ装置に指示することにより、リソースプールのリソースが衝突することを減少させることができる。
【００３９】
第一の態様と組み合わせ、第一の態様のいくつかの実施形態において、前記方法は、前記リソース使用パラメータが第二の閾値より小さく且つ第三の閾値より大きい場合、前記ネットワーク装置がＤ２Ｄリソースを再割り当てることができるように、前記第一のＤ２Ｄ装置が前記リソース使用パラメータが前記第二の閾値より小さく、且つ前記第三の閾値より大きいというイベントをネットワーク装置に報告することをさらに含む。
【００４０】
本実施形態では、Ｄ２Ｄ装置がリソース使用パラメータが第二の閾値より小さく且つ前記第三の閾値より大きいというイベントを報告し、ネットワーク装置がＤ２Ｄリソースを再割り当て、これにより、Ｄ２Ｄリソースが深刻に占有される状況を緩和し、又はＤ２Ｄリソースの衝突度合いを下げることができる。
【００４１】
第一の態様と組み合わせ、第一の態様のいくつかの実施形態において、前記第一のＤ２Ｄ装置がリソースプールのリソース使用パラメータを確定することは、前記第一のＤ２Ｄ装置が前記リソースプールの予め設定されたリソースで他のＤ２Ｄ装置から送信されたスケジューリング情報を受信し、前記スケジューリング情報が前記他のＤ２Ｄ装置のデータを搬送するリソースの前記リソースプールでの位置を示すことに用いられること、前記第一のＤ２Ｄ装置が前記スケジューリング情報に基づき、前記リソース使用パラメータを確定することを含む。
【００４２】
第一の態様と組み合わせ、第一の態様のいくつかの実施形態において、前記第一のＤ２Ｄ装置がリソースプールのリソース使用パラメータを確定することは、前記第一のＤ２Ｄ装置が前記リソースプールのリソースを使用するＤ２Ｄ信号のエネルギーを検出すること、前記第一のＤ２Ｄ装置が前記Ｄ２Ｄ信号のエネルギーに基づき、前記リソース使用パラメータを確定することを含む。Ｄ２Ｄ信号のエネルギーは特定の時間周波数リソースでのＤ２Ｄ信号のエネルギーであってもよく、Ｄ２Ｄ信号の電力であってもよい。
【００４３】
第一の態様と組み合わせ、第一の態様のいくつかの実施形態において、前記リソースプールのＤ２Ｄ装置の伝送内容が優先度を有し、前記リソース使用パラメータが第二の閾値より大きい場合、前記リソースプールのターゲットＤ２Ｄ装置はＤ２Ｄ通信を衝突回避の方式で行い、前記ターゲットＤ２Ｄ装置は前記リソースプールの伝送内容の優先度が優先度閾値以下であるＤ２Ｄ装置である。
【００４４】
第一の態様と組み合わせ、第一の態様のいくつかの実施形態において、ターゲットＤ２Ｄ装置は第一のＤ２Ｄ装置であってもよい。
【００４５】
第一の態様と組み合わせ、第一の態様のいくつかの実施形態において、前記リソースプールのＤ２Ｄ装置の伝送内容が優先度を有し、前記リソース使用パラメータが第二の閾値より大きい場合、前記リソースプールのターゲットＤ２Ｄ装置はＤ２Ｄ通信を停止し、前記ターゲットＤ２Ｄ装置は前記リソースプールの伝送内容の優先度が優先度閾値以下であるＤ２Ｄ装置である。
【００４６】
第一の態様と組み合わせ、第一の態様のいくつかの実施形態において、前記リソースプールのＤ２Ｄ装置の伝送内容が優先度を有し、前記リソース使用パラメータが第二の閾値より小さく且つ第三の閾値より大きい場合、前記リソースプールのターゲットＤ２Ｄ装置はＤ２Ｄ通信を衝突回避の方式で行い、前記ターゲットＤ２Ｄ装置は前記リソースプールの伝送内容の優先度が優先度閾値以下であるＤ２Ｄ装置である。
【００４７】
第一の態様と組み合わせ、第一の態様のいくつかの実施形態において、前記リソースプールのＤ２Ｄ装置の伝送内容が優先度を有し、前記リソース使用パラメータが第二の閾値より小さく、且つ第三の閾値より大きい場合、前記リソースプールのターゲットＤ２Ｄ装置はＤ２Ｄ通信を停止し、前記ターゲットＤ２Ｄ装置は前記リソースプールの伝送内容の優先度が優先度閾値以下であるＤ２Ｄ装置である。
【００４８】
第一の態様と組み合わせ、第一の態様のいくつかの実施形態において、前記優先度閾値は予め設定され、又はネットワーク（例えば基地局）によって指定されることができる。
【００４９】
第一の態様と組み合わせ、第一の態様のいくつかの実施形態において、前記リソースプールの各Ｄ２Ｄ装置の伝送内容の優先度情報は前記各Ｄ２Ｄ装置によって送信されたスケジューリング情報に含まれる。
【００５０】
第一の態様と組み合わせ、第一の態様のいくつかの実施形態において、Ｄ２Ｄ装置は予め設定されたリソースでスケジューリング情報を送信する。
【００５１】
第一の態様と組み合わせ、第一の態様のいくつかの実施形態において、リソースプールのＤ２Ｄ装置はネットワークの指示でＤ２Ｄ通信を衝突回避の方式で行う。
【００５２】
第一の態様と組み合わせ、第一の態様のいくつかの実施形態において、リソースプールのＤ２Ｄ装置はネットワーク装置の指示でＤ２Ｄ通信を停止する。
【００５３】
第一の態様と組み合わせ、第一の態様のいくつかの実施形態において、リソースプールのＤ２Ｄ装置は、ネットワーク装置がリソースプールを統合又は縮小することができるように、ネットワーク装置の指示でリソースプールの使用を一時停止する。
【００５４】
第一の態様と組み合わせ、第一の態様のいくつかの実施形態において、Ｄ２Ｄ通信のための前記リソースプールは複数のリソースプールを含み、前記複数のリソースプールがＤ２Ｄ通信のためのリソースを時間及び／又は周波数に従って分割して得られたものである。
【００５５】
第一の態様と組み合わせ、第一の態様のいくつかの実施形態において、Ｄ２Ｄ通信のための前記リソースプールは一つ又は複数のリソースプールを含む。例えば、Ｄ２Ｄ通信のためのリソースプールは一つだけのリソースプールを含むことができる。
【００５６】
第一の態様と組み合わせ、第一の態様のいくつかの実施形態において、前記第一のＤ２Ｄ装置は第二の動作モードにあるＤ２Ｄ装置であり、前記第二の動作モードにおける第一のＤ２Ｄ装置に使用されるリソースは前記第一のＤ２Ｄ装置によって自主的に選択される。
【００５７】
第一の態様と組み合わせ、第一の態様のいくつかの実施形態において、第一の動作モード及び第二の動作モードにおける第一のＤ２Ｄ装置はＰＣ５インタフェースを介してＤ２Ｄ通信を直接行う。
【００５８】
第一の態様と組み合わせ、第一の態様のいくつかの実施形態において、第三の動作モードにおける第一のＤ２Ｄ装置はＵｕインタフェースを介してＤ２Ｄ通信を行う。
【００５９】
第一の態様と組み合わせ、第一の態様のいくつかの実施形態において、前記リソース使用パラメータが第二の閾値より大きい場合、前記リソースプールのターゲットＤ２Ｄ装置はＤ２Ｄ通信を衝突回避の方式で行い、又はＤ２Ｄ通信を停止し、又は、前記リソース使用パラメータが第二の閾値より小さく且つ第三の閾値より大きい場合、前記リソースプールのターゲットＤ２Ｄ装置はＤ２Ｄ通信を衝突回避の方式で行い、又はＤ２Ｄ通信を停止し、前記ターゲットＤ２Ｄ装置は前記ネットワーク装置によって指定され、当然、該ターゲットＤ２Ｄ装置は第一のＤ２Ｄ装置であってもよい。
【００６０】
第一の態様と組み合わせ、第一の態様のいくつかの実施形態において、前記方法は、前記リソース使用パラメータが第二の閾値より大きい場合、前記第一のＤ２Ｄ装置がＤ２Ｄ通信を衝突回避の方式で行い、又はＤ２Ｄ通信を停止すること、又は、前記リソース使用パラメータが第二の閾値より小さく且つ第三の閾値より大きい場合、前記第一のＤ２Ｄ装置がＤ２Ｄ通信を衝突回避の方式で行い、又はＤ２Ｄ通信を停止することをさらに含む。
【００６１】
第一の態様と組み合わせ、第一の態様のいくつかの実施形態において、前記方法は、前記リソース使用パラメータが第四の閾値より大きい場合、前記第一のＤ２Ｄ装置が前記リソース使用パラメータが前記第四の閾値より大きいというイベントをネットワーク装置に報告することをさらに含む。
【００６２】
第一の態様と組み合わせ、第一の態様のいくつかの実施形態において、前記方法は、前記リソース使用パラメータが前記第四の閾値より大きい場合、前記ネットワーク装置が前記第一のＤ２Ｄ装置が前記現在のサービスのうちの少なくとも部分のサービスを処理するために使用する動作モードを第二の動作モードから第三の動作モードに切り替えるように、前記第一のＤ２Ｄ装置が前記Ｄ２Ｄ装置の現在のサービスを前記ネットワーク装置に報告し、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェースに基づいてＤ２Ｄ通信を行うことをさらに含む。
【００６３】
第一の態様と組み合わせ、第一の態様のいくつかの実施形態において、前記方法は、前記リソース使用パラメータが前記第四の閾値より大きい場合、前記第一のＤ２Ｄ装置が前記ネットワーク装置へリクエストメッセージを送信し、前記リクエストメッセージが前記第一のＤ２Ｄ装置がターゲットサービスを処理する時に使用する動作モードを第二の動作モードから第三の動作モードに切り替えるように前記ネットワーク装置にリクエストすることに用いられ、前記ターゲットサービスが前記第一のＤ２Ｄ装置の現在のサービスのうちの少なくとも部分のサービスであり、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェースに基づいてＤ２Ｄ通信を行うことをさらに含む。
【００６４】
第一の態様と組み合わせ、第一の態様のいくつかの実施形態において、前記方法は、前記リソース使用パラメータが前記第四の閾値より大きい場合、前記第一のＤ２Ｄ装置が前記現在のサービスのうちの少なくとも部分のサービスに対応するサービス品質ＱｏＳニーズを前記ネットワーク装置に報告することをさらに含む。
【００６５】
第一の態様と組み合わせ、第一の態様のいくつかの実施形態において、前記現在のサービスは、前記Ｄ２Ｄ装置の現在のＶ２Ｖサービスである。
【００６６】
上記のいくつかの実施形態において、前記方法は、前記第一のＤ２Ｄ装置が前記現在のサービスのＱｏＳニーズ、及び設定されたマッピングテーブルに基づき、前記第四の閾値を確定し、前記マッピングテーブルが前記ＱｏＳニーズと前記第四の閾値との対応関係を示すことに用いられることをさらに含む。
【００６７】
第一の態様と組み合わせ、第一の態様のいくつかの実施形態において、前記方法は、前記第一のＤ２Ｄ装置が前記リソースプールのリソース使用パラメータを前記ネットワーク装置に周期的に報告することをさらに含む。
【００６８】
第一の態様と組み合わせ、第一の態様のいくつかの実施形態において、前記方法は、前記リソース使用パラメータが第四の閾値より大きい場合、前記第一のＤ２Ｄ装置が前記リソース使用パラメータを前記ネットワーク装置に報告することをさらに含む。
【００６９】
第二の態様によるＤ２Ｄ通信のための方法は、ネットワーク装置が第一のＤ２Ｄ装置から報告されたリソースプールのリソース使用パラメータが第四の閾値より大きいというイベントを受信し、前記リソースプールがＤ２Ｄ通信に用いられ、前記リソース使用パラメータが前記リソースプールの占有されたリソースと前記リソースプールの総リソースとの比率を示すことに用いられ、又は前記リソース使用パラメータが前記リソースプールの衝突リソースと前記リソースプールの総リソースとの比率を示すことに用いられ、前記衝突リソースが前記リソースプールの複数のＤ２Ｄ信号に同時に占有されたリソースであることと、前記ネットワーク装置が前記イベントに基づき、前記リソースプールのリソース又は前記リソースプールを使用する装置のサービスを調整することとを含む。
【００７０】
第二の態様と組み合わせ、第二の態様のいくつかの実施形態において、前記方法は、前記ネットワーク装置が前記第一のＤ２Ｄ装置から報告された現在のサービスを受信することをさらに含む。
【００７１】
第二の態様と組み合わせ、第二の態様のいくつかの実施形態において、前記方法は、前記ネットワーク装置が前記第一のＤ２Ｄ装置から送信されたリクエストメッセージを受信し、前記リクエストメッセージが前記第一のＤ２Ｄ装置がターゲットサービスを処理する時に使用する動作モードを第二の動作モードから第三の動作モードに切り替えるように前記ネットワーク装置にリクエストすることに用いられ、前記ターゲットサービスが前記第一のＤ２Ｄ装置の現在のサービスのうちの少なくとも部分のサービスであり、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェースに基づいてＤ２Ｄ通信を行うことをさらに含む。
【００７２】
第二の態様と組み合わせ、第二の態様のいくつかの実施形態において、前記方法は、前記ネットワーク装置が前記第一のＤ２Ｄ装置から報告された前記現在のサービスのうちの少なくとも部分のサービスに対応するサービス品質ＱｏＳニーズを受信することをさらに含む。
【００７３】
第二の態様と組み合わせ、第二の態様のいくつかの実施形態において、前記ネットワーク装置が前記イベントに基づき、前記リソースプールのリソース又は前記リソースプールを使用する装置のサービスを調整することは、前記ネットワーク装置が前記イベントに基づき、前記第一のＤ２Ｄ装置が前記現在のサービスのうちの少なくとも部分のサービスを処理するために使用する動作モードを第二の動作モードから第三の動作モードに切り替え、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェースに基づいてＤ２Ｄ通信を行うことを含む。
【００７４】
第二の態様と組み合わせ、第二の態様のいくつかの実施形態において、前記現在のサービスは前記第一のＤ２Ｄ装置の現在のＶ２Ｖサービスである。
【００７５】
第二の態様と組み合わせ、第二の態様のいくつかの実施形態において、前記リソースプールのリソース使用パラメータが第四の閾値より大きいというイベントは、前記第一のＤ２Ｄ装置が設定されたマッピングテーブルに基づいて確定したものであり、前記マッピングテーブルが前記第一のＤ２Ｄ装置の現在のサービスに対応するＱｏＳニーズと前記第四の閾値との対応関係を示すことに用いられる。
【００７６】
第二の態様と組み合わせ、第二の態様のいくつかの実施形態において、前記方法は、前記ネットワーク装置が前記第一のＤ２Ｄ装置から周期的に報告された前記ターゲットリソースプールのリソース使用パラメータを受信することをさらに含む。
【００７７】
第二の態様と組み合わせ、第二の態様のいくつかの実施形態において、前記方法は、前記リソース使用パラメータが第四の閾値より大きい場合、前記ネットワーク装置が前記第一のＤ２Ｄ装置から報告された前記リソース使用パラメータを受信することをさらに含む。
【００７８】
第三の態様によるＤ２Ｄ装置は、第一の態様における方法を実行するためのユニットを備える。
【００７９】
第四の態様によるネットワーク装置は、第二の態様における方法を実行するためのユニットを備える。
【００８０】
第五の態様によるＤ２Ｄ装置は、記憶装置、プロセッサと送受信機を備え、前記記憶装置がプログラムを記憶するように構成され、前記プロセッサがプログラムを実行し、前記プログラムが実行されると、前記送受信機に基づいて前記第一の態様における方法を実行するように構成される。
【００８１】
第六の態様によるネットワーク装置は、記憶装置、プロセッサと送受信機を備え、前記記憶装置がプログラムを記憶するように構成され、前記プロセッサがプログラムを実行し、前記プログラムが実行されると、前記送受信機に基づいて前記第二の態様における方法を実行するように構成される。
【００８２】
第七の態様によるコンピュータ可読媒体は、Ｄ２Ｄ装置で実行されるプログラムコードを記憶するように構成され、前記プログラムコードが第一の態様における方法を実行するための命令を含む。
【００８３】
第八の態様によるコンピュータ可読媒体は、Ｄ２Ｄ装置で実行されるプログラムコードを記憶するように構成され、前記プログラムコードが第二の態様における方法を実行するための命令を含む。
【図面の簡単な説明】
【００８４】
【図１】本出願の実施例におけるＤ２Ｄ通信のための方法の概略的なフローチャートである。
【図２】本出願の実施例におけるＤ２Ｄ通信のための方法の概略的なフローチャートである。
【図３】本出願の実施例におけるＤ２Ｄ装置の概略的な構成図である。
【図４】本出願の実施例におけるネットワーク装置の概略的な構成図である。
【図５】本出願の実施例におけるＤ２Ｄ装置の概略的な構成図である。
【図６】本出願の実施例におけるネットワーク装置の概略的な構成図である。
【発明を実施するための形態】
【００８５】
本発明の実施例の技術的な解決策をより明確に説明するため、以下に実施例に必要な図面を簡単に説明するが、明らかに、以下に記載する図面は本発明のいくつかの実施例だけであり、当業者であれば、創造的な労力を要することなく、これらの図面に基づいて他の図面を得ることができる。
【００８６】
理解すべきものとして、本出願の技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａ１  Ｐａｃｋｅｔ  Ｒａｄｉｏ  Ｓｅｒｖｉｃｅ）システム、ロングタームエボリューション（ＬＴＥ：Ｌｏｎｇ  Ｔｅｒｍ  Ｅｖｏｌｕｔｉｏｎ）システム、アドバンストロングタームエボリューション（ＬＴＥ−Ａ：Ａｄｖａｎｃｅｄ  ｌｏｎｇ  ｔｅｒｍ  ｅｖｏ１ｕｔｉｏｎ，  ＬＴＥ−Ａ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、５Ｇなどに適用されてもよい。
【００８７】
また、理解すべきものとして、本出願の実施例において、Ｄ２Ｄ装置は、ユーザ装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、ポータブル機器（ｐｏｒｔａｂｌｅ  ｅｑｕｉｐｍｅｎｔ）などを含むが、これらに限定されず、該ユーザ装置が無線アクセスネットワーク（ＲＡＮ：Ｒａｄｉｏ  Ａｃｃｅｓｓ  Ｎｅｔｗｏｒｋ）を介して一つ又は複数のコアネットワークと通信することができ、例えばユーザ装置が携帯電話（又は「セルラー」電話と呼ばれる）、無線通信機能を備えたコンピュータなどであってもよく、また、ユーザ装置がポータブル、ポケットサイズ、ハンドヘルド、コンピュータ内蔵又は車載型モバイルデバイスであってもよい。
【００８８】
いくつかの実施例において、Ｄ２Ｄ通信はビークルツービークル（Ｖ２Ｖ：Ｖｅｈｉｃｌｅ  ｔｏ  Ｖｅｈｉｃｌｅ）通信、Ｖ２Ｘ通信を指すことができる。Ｖ２Ｘ通信では、Ｘは無線受信及び送信機能を備えたいずれかの装置を広く意味してもよく、例えば低速で移動する無線装置、高速で移動する車載デバイス、又は無線送受信機能を備えたネットワーク制御ノードであるがこれらに限定されない。
【００８９】
本出願の実施例において、ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、またＬＴＥにおける進化型基地局（ｅＮＢ又はｅ−ＮｏｄｅＢ：ｅｖｏｌｖｅｄ  Ｎｏｄｅ  Ｂ）であってもよく、また５Ｇにおけるアクセスサービスを提供するためのアクセスポイントであってもよく、本出願の実施例では限定されない。
【００９０】
図１は本出願の実施例におけるＤ２Ｄ通信のための方法の概略的なフローチャートである。図１の方法は以下のステップを含む。
【００９１】
１１０、第一のＤ２Ｄ装置はリソースプールのターゲットリソースを確定し、前記ターゲットリソースが前記リソースプールの占有されたリソース又は前記リソースプールの衝突リソースであり、前記衝突リソースが前記リソースプールの複数のＤ２Ｄ信号に同時に占有されたリソースであり、前記リソースプールがＤ２Ｄ通信のためのリソースプール中のいずれかのリソースプールである。
【００９２】
１２０、前記第一のＤ２Ｄ装置は前記ターゲットリソースに基づいて前記リソースプールのリソース使用パラメータを確定し、前記リソース使用パラメータが前記占有されたリソースと前記リソースプールの総リソースとの比率を示すことに用いられ、又は前記リソース使用パラメータが前記衝突リソースと前記リソースプールの総リソースとの比率を示すことに用いられる。
【００９３】
理解すべきものとして、本出願の実施例における第一のＤ２Ｄ装置が説明を容易にするためのものだけであるため、リソースプールのリソースを使用するいずれかのＤ２Ｄ装置は第一のＤ２Ｄ装置と関連する操作を実行することができ、本出願の実施例では限定されない。
【００９４】
前記リソースプールはＤ２Ｄ装置の現在使用されているリソースプールであってもよく、前記リソースプールはＤ２Ｄ装置の特定の期間内で使用されるリソースプールであってもよく、前記リソース使用パラメータは特定の期間内で占有されたリソースが該特定の期間内のリソースプールの総リソースに占める割合を示すことに用いられ、又は、前記リソース使用パラメータは特定の期間内で前記衝突リソースが該特定の期間内のリソースプールの総リソースに占める割合を示すことに用いられ、即ちリソース使用パラメータはＤ２Ｄ装置によって検出されたリアルタイムなパラメータであってもよく、Ｄ２Ｄ装置によって検出された一定期間内のパラメータであってもよく、具体的にリアルタイムなリソース使用パラメータであるかそれとも一定期間内のリソース使用パラメータであるかは、ネットワーク構成又はプロトコルにより規定されてもよく、該特定の期間がネットワークによって設定されてもよく、プロトコルによって規定されてもよい。
【００９５】
本出願の実施例において、第一のＤ２Ｄ装置でリソースプールのリソース使用パラメータを検出し、検出結果をネットワーク装置に報告し、ネットワーク装置がこの状況を把握し、対応する処理を行うようにする。
【００９６】
Ｄ２Ｄ装置から報告されたリソース使用パラメータの正確性を確保するために、複数のＤ２Ｄ装置は自体によって検出されたリソース使用パラメータをネットワーク装置に報告することができ、ネットワーク装置は複数のＤ２Ｄ装置から報告されたリソース使用パラメータに基づいてリソースプール中の実際のリソースの使用状況を確定する。
【００９７】
Ｄ２Ｄ装置がセルラーネットワークにおいて動作する場合、Ｄ２Ｄ装置は二つの動作モードがある。第一の動作モード（又は動作モード１と呼ばれる）については、Ｄ２Ｄ装置のリソースはネットワーク装置によって割り当てられてもよく、第二の動作モード（動作モード２と呼ばれる）について、Ｄ２Ｄ装置に使用されたリソースはＤ２Ｄ装置によって予め指定されたリソースプールで自主的に選択されてもよい。本出願はＤ２Ｄ装置の動作モードを具体的に限定せず、いくつかの実施例において、本出願の第一のＤ２Ｄ装置は第二の動作モードにあるＤ２Ｄ装置であってもよい。理解すべきものとして、第一の動作モードと第二の動作モードにおいて使用されるリソースは異なっても良い。
【００９８】
Ｄ２Ｄ装置がセルラーネットワークのカバレッジに位置しない場合、Ｄ２Ｄ装置は第二の動作モードで動作することができる。
【００９９】
いくつかの実施例において、利用可能なＤ２Ｄリソースは時間及び／又は周波数に基づいて異なるリソースプールに分割されてもよく、Ｄ２Ｄ通信を行う前に、Ｄ２Ｄ装置は先に一つのリソースプールを選択することができる。説明すべきものとして、本出願の実施例ではＤ２Ｄ通信のためのＤ２Ｄリソースプールの数が具体的に限定されず、一つだけであってもよく、複数であってもよい。Ｄ２Ｄ装置に対して、全ての利用可能なＤ２Ｄリソースから一つのリソースプールを構成する場合、Ｄ２Ｄ装置はリソースプールを選択する必要がなく、リソースプールから適切なリソースを直接選択してＤ２Ｄ通信を行うことができる。
【０１００】
いくつかの実施例において、リソースプールのリソース使用パラメータはリソースプールの衝突リソースとリソースプールの総リソースとの比率（以下にリソース衝突率と呼ばれる）を意味することができ、リソースプールのリソース使用パラメータはリソースプールの占有されたリソースと該リソースプールの総リソースとの比率（以下にリソース占有率と呼ばれる）を意味することができる。リソースプールが一つだけである場合、以上に記載されたリソース衝突率とリソース占有率は、Ｄ２Ｄ装置の現在の利用可能なリソースの衝突及び占有率を意味することができる。
【０１０１】
いくつかの実施例において、各リソースプールに対して対応するリソース使用パラメータを設定し且つ第一の閾値Ｐを設定することができる。あるリソースプールのリソース使用パラメータがＰ１より小さい場合、該リソースプールがほぼアイドル状態であり、該リソースプールのリソース利用率が高くなく、リソース浪費が深刻であることを示すことができ、異なるリソースプールに対応するＰ１は同じでも異なってもよい。
【０１０２】
いくつかの実施例において、各リソースプールに対して対応するリソース占有率を設定し且つ第一の閾値Ｐを設定することができる。あるリソースプールのリソース占有率がＰ１より小さい場合、該リソースプールがアイドル状態にあり、該リソースプールのリソース利用率が高くなく、リソース浪費が深刻であることを示すことができ、異なるリソースプールに対応するＰ１は同じでも異なってもよい。
【０１０３】
いくつかの実施例において、各リソースプールに対して対応するリソース使用パラメータを設定し且つ複数の閾値を設定し、例えば第五の閾値と第六の閾値を設定することができ、第五の閾値が第六の閾値より大きく、あるリソースプールのリソース使用パラメータが第六の閾値より小さい場合、Ｄ２Ｄ装置は第六の閾値より小さいというこのイベントを報告し、ネットワーク装置は現在のＤ２Ｄ装置が位置するリソースプールを統合することができ、あるリソースプールのリソース使用パラメータが第五の閾値より小さく且つ第六の閾値より大きい場合、Ｄ２Ｄ装置は第五の閾値より小さく且つ第六の閾値より大きいというこのイベントを報告し、ネットワーク装置は現在のＤ２Ｄ装置が位置するリソースプールを縮小することができる。即ち異なる閾値を設定してリソースプールのアイドル状況を確定することができ、異なる閾値に対して、ネットワーク装置は異なる処理方式を採用することができ、これにより、リソース割り当ての柔軟性がさらに向上する。
【０１０４】
いくつかの実施例において、各リソースプールに対して対応するリソース衝突率を設定し且つ第二の閾値Ｐ２及び第三の閾値Ｐ３を設定することができる。あるリソースプールのリソース衝突率がＰ２より大きい場合、該リソースプールの衝突状況又は占有される状況が非常に深刻であることを示すことができ、あるリソースプールのリソース衝突率がＰ２より小さく且つＰ３より大きい場合、該リソースプールの衝突状況又は占有される状況がやや深刻であることを示すことができる。異なるリソースプールに対応するＰ２又はＰ３は同じでも異なってもよく、Ｐ２がＰ３より大きい。
【０１０５】
いくつかの実施例において、リソースプールのリソース衝突率及びリソース占有率に対して閾値を同時に設定することができ、設定されたリソース占有率はリソース衝突率の閾値と同じでも異なってもよく、即ちリソース衝突率のＰ１とリソース占有率のＰ１、リソース衝突率のＰ２とリソース占有率のＰ２、リソース衝突率のＰ３とリソース占有率のＰ３は同じでも異なってもよい。当然、リソースプールに対してリソース衝突率の閾値とリソース占有率の閾値のうちの一つのみを設定してもよい。
【０１０６】
いくつかの実施例において、各リソースプールにＰ２とＰ３を設定してもよく、又は、各リソースプールに対してＰ２とＰ３のうちの一つのみを設定してもよい。以下に各リソースプールにＰ２とＰ３を設定することを例として説明する。
【０１０７】
いくつかの実施例において、各リソースプールに第一の閾値Ｐ１を設定することができ、ここでのＰ１とＰ３の大きさが限定されなくてもよい。
【０１０８】
いくつかの実施例において、各リソースプールにＰ１、Ｐ２とＰ３を同時に設定することができ、ここでＰ１がＰ３以下であり、Ｐ２がＰ３より大きい。
【０１０９】
いくつかの実施例において、第一のＤ２Ｄ装置があるリソースプールのリソース占有率がＰ１より小さいことを検出した場合、Ｄ２Ｄ装置はエアインタフェースを介してネットワーク装置へこのイベントを報告することができる。その後、ネットワーク装置は一連の措置を実行し、リソースプールのリソース占有率が低い状況を改善し、リソースの利用率を向上させることができる。
【０１１０】
いくつかの実施例において、予め設定された期間内で、前記リソース使用パラメータが第一の閾値より小さい場合、前記第一のＤ２Ｄ装置はリソース使用パラメータが第一の閾値より小さいというイベントをネットワーク装置に報告し、第一のＤ２Ｄ装置がこの予め設定された期間内で、前記リソース占有率が第一の閾値より小さいことを検出した場合、このイベントを報告し、又は、第一のＤ２Ｄ装置がこの予め設定された期間内で、該リソースの平均占有率が該第一の閾値より小さいことを検出した場合、このイベントを報告し、これにより、真のリソース占有状況であるか否かを予め設定された期間内のリソース利用率で検出することができ、さらにリソースの実際の状況をネットワーク装置に正確に報告し、第一のＤ２Ｄ装置がネットワーク装置に誤って報告することを防止することができる。
【０１１１】
いくつかの実施例において、上記リソース使用パラメータが第一の閾値より小さいというイベントは、前記ネットワーク装置が前記リソースプールを縮小又は統合するようにトリガすることに用いられる。
【０１１２】
いくつかの実施例において、前記第一のＤ２Ｄ装置が前記リソース使用パラメータが前記第一の閾値より小さいというイベントを報告した後、前記方法は、前記第一のＤ２Ｄ装置が前記リソースプールのターゲットリソースの使用を一時停止することをさらに含む。
【０１１３】
具体的には、Ｄ２Ｄ装置は、前記リソース使用パラメータが前記第一の閾値より小さいというイベントを報告した後に該ターゲットリソースの使用を直ちに一時停止することができ、このイベントを報告した後の第一の期間の後に、Ｄ２Ｄ装置は該ターゲットリソースの使用を一時停止してもよく、ネットワーク装置から送信された第一の指示情報を受信してもよく、第一の指示情報が現在のリソースプールの使用を一時停止するように第一のＤ２Ｄに指示することに用いられ、ネットワーク装置がリソースプールを縮小又は統合するように、Ｄ２Ｄ装置は、該第一の指示情報に基づいて前記ターゲットリソースの使用を一時停止し、本出願の実施例ではＤ２Ｄ装置がどのように現在のリソースプールの使用を一時停止するかは限定されない。
【０１１４】
いくつかの実施例において、第一のＤ２Ｄ装置があるリソースプールのリソース衝突率／リソース占有率がＰ３より大きい、かつＰ２より小さいことを検出した場合、この第一のＤ２Ｄ装置は、エアインタフェースを介してネットワーク装置へこのイベントを報告することができる。その後、ネットワーク装置又は第一のＤ２Ｄ装置は一連の措置を実行し、リソースプール中のリソースの占有される状況又は衝突状況を改善させることができる。
【０１１５】
いくつかの実施例において、ネットワーク装置／第一のＤ２Ｄ装置がエアインタフェースであるリソースプールのリソース衝突率／リソース占有率がＰ２より大きいことを検出した場合、ネットワーク装置／第一のＤ２Ｄ装置はリソースプール再割り当て／リソースプール再選択のプロセスを起動することができる。
【０１１６】
いくつかの実施例において、第一のＤ２Ｄ装置が第一のリソースプールのリソース衝突率／リソース占有率がＰ３より大きい、且つＰ２より小さいことを検出した場合、第一のＤ２Ｄ装置は、エアインタフェースを介してネットワーク装置へこのイベントを報告することができ、第二のＤ２Ｄ装置が第二のリソースプールのリソース占有率がＰ１より小さいことを検出した場合、第二のＤ２Ｄ装置は、エアインタフェースを介してネットワーク装置へこのイベントを報告することができ、ネットワーク装置、第一のＤ２Ｄ装置又は第二のＤ２Ｄ装置は第二のリソースプールの部分のリソースを第一のリソースプールに統合することができ、これにより、第一のリソースプールのリソース衝突率／リソース占有率を下げ、第二のリソースプールのリソース占有率を向上させることができ、さらにリソースプール全体の利用率を向上させることができる。
【０１１７】
以下にリソースプールに対応するＰ１、Ｐ２とＰ３の設定方式を説明し、理解すべきものとして、各リソースプールにＰ１、Ｐ２とＰ３のうちの少なくとも一つを設定することができ、例えば、各リソースプールにＰ１又はＰ２を設定することができ、各リソースプールにＰ１、Ｐ２とＰ３などを設定することもでき、且つ各リソースプールに対して設定されたＰ１、Ｐ２とＰ３の大きさが同じでも異なってもよく、部分のリソースプールに対してＰ１のみを設定すること、部分のリソースプールに対してＰ２のみを設定することなどであってもよく、本出願の実施例では限定されない。
【０１１８】
いくつかの実施例において、Ｄ２Ｄ装置がセルラーネットワークカバレッジに位置し、且つＤ２Ｄリソースがネットワーク装置によって割り当てられる場合、ネットワーク装置は利用可能なＤ２Ｄリソース全体を異なるリソースプールに分割し、且つ各リソースプールに対して対応するＰ１、Ｐ２又はＰ３を設定することができる。いくつかの実施例において、利用可能なＤ２Ｄリソース全体は一つのリソースプールであってもよく、異なるリソースプールの分割を行う必要がない。
【０１１９】
いくつかの実施例において、Ｄ２Ｄ装置がセルラーネットワークカバレッジに位置しない場合、Ｄ２Ｄリソースプールは予め割り当てられてもよく、即ち利用可能なＤ２Ｄリソースを異なるリソースプールに予め分割する。さらに、各リソースプールに対応するＰ１、Ｐ２とＰ３は予め設定されてもよい。いくつかの実施例において、利用可能なＤ２Ｄリソース全体は一つのリソースプールであってもよく、異なるリソースプールの分割を行う必要がない。
【０１２０】
以下にリソース衝突率／リソース占有率の検出方式を説明する。
【０１２１】
いくつかの実施例において、データを送信する前に、送信側は、先にリソースプールの予め設定されたリソースでスケジューリング情報を送信することが規定されてもよく、スケジューリングアサインメント（ｓｃｈｅｄｕｌｉｎｇ  ａｓｓｉｇｎｍｅｎｔ）と呼ばれてもよい。該スケジューリングアサインメントはデータを搬送するリソースの位置を受信側に示すことができる。これにより、受信側は該スケジューリング情報に従って対応する位置にデータを受信することができる。一つの例では、該スケジューリング情報はデータの変調及び復調情報などをさらに含むことができる。したがって、受信側がスケジューリング情報を受信する過程において、どのリソースが占有されるか、又はどのリソースが衝突するかを把握することができる。
【０１２２】
いくつかの実施例において、スペクトラムセンシング（ｐｏｗｅｒ  ｓｅｎｓｉｎｇ）方式でリソース衝突率とリソース占有率を検出することができる。例えば、Ｄ２Ｄ装置は、リソースプールの対応するリソースにおけるスペクトルエネルギーの大きさを検出することで現在のリソースが占有されたか否か及び／又はリソースが衝突したか否かを判定することができる。
【０１２３】
いくつかの実施例において、受信側が受信状態にあるだけであり、信号を送信しないことを規定することができ、これにより、検出の信頼性を保証することができる。
【０１２４】
いくつかの実施例において、第一のＤ２Ｄ装置のリソースプールのリソース衝突率／リソース占有に対する検出方式はネットワーク装置によって設定されてもよく、予め設定されてもよい。例えば、セルラーネットワークカバレッジがある場合、検出方式はネットワーク装置によって設定されてもよく、セルラーネットワークカバレッジがない場合、検出方式は予め設定されてもよい。
【０１２５】
以下に、リソース衝突率／リソース占有率を検出した場合の対応する処理方式を説明する。
【０１２６】
いくつかの実施例において、Ｄ２Ｄ装置はリソースプールを検出することにより、リソース衝突率／リソース占有率がＰ３より大きいがＰ２より小さいことを発見し、セルラーネットワークカバレッジがある場合、この第一のＤ２Ｄ装置はこのイベントをネットワーク装置に報告することができる。ネットワーク装置は、報告を取得した後、Ｄ２Ｄリソースを再割り当て、例えば該リソースプールにより多くのリソースを割り当てることができる。又は、ネットワーク装置はＤ２Ｄ通信を衝突回避の方式で行うようにこのリソースプールを使用しているＤ２Ｄ装置に指示してもよい。本出願の実施例では衝突回避の方式が具体的に限定されず、例えば、このリソースプールを使用するＤ２Ｄ装置がＤ２Ｄエアインタフェースを介してデータを送信する必要がある場合、該Ｄ２Ｄ装置は一定の時間ランダムに遅延して送信してもよく、又は、確率Ｐ４に基づいて送信するようにＤ２Ｄ装置に要求してもよく、例えば、Ｐ４が０．５であり、Ｄ２Ｄ装置は、データを送信する前に、先に０〜１の間の乱数を生成し、該乱数が０〜０．５である場合、該Ｄ２Ｄ装置はデータを送信し、そうでない場合はデータを送信せず、その中、Ｐ４はネットワーク装置によって設定されてもよく、予め設定されてもよい。Ｐ４は０であってもよく、この場合、該Ｄ２Ｄ装置はＤ２Ｄ通信を停止し、又はＤ２Ｄデータ伝送を停止することができる。
【０１２７】
いくつかの実施例において、第一のＤ２Ｄ装置がリソースプールを検出することにより、リソース衝突率／リソース占有率がＰ３より大きいがＰ２より小さいことを発見し、セルラーネットワークのカバレッジがある場合、この第一のＤ２Ｄ装置はＤ２Ｄエアインタフェースで特殊なフォーマットの信号、例えば特殊なフォーマットのスケジューリング情報（又はスケジューリングアサインメント）を送信し、リソースプールのリソースが十分ではない可能性があることを該リソースプールを使用する他のＤ２Ｄ装置に警告することができる。リソースプールでＤ２Ｄ装置がこの予め規定された特殊なフォーマットの信号を送信することを検出した場合、該リソースプールを使用しているＤ２Ｄ装置はＤ２Ｄ通信を衝突回避の方式で行うことができる。例えば、Ｄ２Ｄエアインタフェースを介してデータを送信する必要がある場合、Ｄ２Ｄ装置は一定時間をランダムに遅延させて送信し、又はある確率Ｐ４（Ｐ４がネットワーク装置によって設定されてもよく、予め設定されてもよい）で送信することができる。このＰ４は０であってもよく、この場合、該Ｄ２Ｄ装置はＤ２Ｄ通信又はＤ２Ｄデータ伝送を停止することができる。
【０１２８】
いくつかの実施例において、Ｄ２Ｄ装置はリソースプールを検出することにより、リソース占有率がＰ１より小さいことを発見し、セルラーネットワークのカバレッジがある場合、Ｄ２Ｄ装置はこのイベントをネットワーク装置に報告することができる。ネットワーク装置は、報告を受信した後、Ｄ２Ｄリソースを再割り当てることができ、例えば該リソースプールを縮小又はリソース占有率がＰ１より小さい複数のリソースプールを統合することができる。そして、ネットワーク装置は、該リソースプールの使用を一時停止するようにこのリソースプールを使用しているＤ２Ｄ装置に指示してもよい。本出願の実施例では該リソースプールの使用を一時停止する方式を具体的に限定せず、例えば、第一のＤ２Ｄ装置がこのイベントを報告した後に該リソースプールの使用を直ちに一時停止すること、又は第一のＤ２Ｄ装置がこのイベントを報告した後の第一の期間の後に該リソースプールの使用を一時停止すること、又は第一のＤ２Ｄ装置がネットワーク装置から送信された第一の指示情報に基づき、該リソースプールの使用を一時停止することであってもよく、当然、該リソースプール中の他のＤ２Ｄ装置は該リソースプールの使用を一時停止することもできる。
【０１２９】
いくつかの実施例において、ネットワーク装置は、報告（この報告はリソース衝突率／リソース占有率がＰ２より大きいという報告、リソース衝突率／リソース占有率がＰ２〜Ｐ３の間であるという報告、リソース占有率がＰ１より小さいという報告、第一のリソースプールの占有確率がＰ２より大きく、第二のリソースプールの占有確率がＰ１より小さいという報告であってもよい）を受信した場合、第二の動作モードにあるＤ２Ｄ装置を第一の動作モードにスケジューリングすることができ、第一の動作モードで、Ｄ２Ｄリソースが直接ネットワーク装置によってスケジューリングされてもよく、これにより、Ｄ２Ｄリソースの分布が不均一になることを効果的に回避することができ、また、Ｄ２Ｄ装置を第二の動作モードから第一の動作モードにスケジューリングした場合、第二の動作モードにおけるＤ２Ｄ装置を減少し、それによって第二の動作モードに対応するリソースプールのリソース占有／衝突確率を下げることができる。
【０１３０】
理解すべきものとして、第一の動作モード及び第二の動作モードにおけるＤ２Ｄ装置はいずれもＤ２Ｄ通信を直接行う。具体的には、第一の動作モード及び第二の動作モードにおけるＤ２Ｄ装置はＰＣ５インタフェースを介してＤ２Ｄ通信を直接行う。
【０１３１】
Ｒ−１４バージョンでは、さらに一つの特殊なＤ２Ｄ動作モードがあり、以下に第三の動作モードと呼ばれる。第三の動作モードで、Ｄ２Ｄ装置同士はネットワーク装置を介してインタラクションを行い、即ち従来のセルラーネットワークの上下りデータリンクを直接利用してデバイス−ネットワーク装置−デバイス間の通信を行う。この形態はセルラーネットワークインタフェース（Ｕｕ又はＵＵ）に基づくＤ２Ｄ通信と呼ばれる。ネットワーク装置は、報告（この報告はリソース衝突率／リソース占有率がＰ２より大きいという報告、リソース衝突率／リソース占有率がＰ２〜Ｐ３の間であるという報告、リソース占有率がＰ１より小さいという報告、第一のＤ２Ｄ装置のリソース占有確率がＰ２より大きく、第二のリソースプールの占有確率がＰ１がＰ１より小さいという報告であってもよい）を受信した場合、第二の動作モードにあるＤ２Ｄ装置をＵｕインタフェースに基づく第三の動作モードにスケジューリングしてもよく、これにより、Ｄ２Ｄ通信品質を保証することができるだけでなく、第二の動作モードに対応するリソースプールのリソース占有／衝突確率を下げることができる。
【０１３２】
Ｄ２Ｄ通信過程に、伝送内容（サービス）は優先度を有することができ、これらの優先度情報はスケジューリングアサインメントに含まれるスケジューリング情報から取得されてもよい。Ｄ２Ｄ装置がリソースプールを検出することにより、リソース衝突率／リソース占有率がＰ２より大きい（又はＰ２〜Ｐ３の間である）ことを発見した場合、ターゲットＤ２Ｄ装置は、Ｄ２Ｄ通信を衝突回避の方式で行い、又は、Ｄ２Ｄ通信を停止し、衝突確率又はリソース占有率を下げることができる。ターゲットＤ２Ｄ装置はその伝送内容の優先度が低いＤ２Ｄ装置であってもよく、例えば、ターゲットＤ２Ｄ装置は伝送内容の優先度が予め設定された又はネットワーク装置によって指示された優先度閾値より低いＤ２Ｄ装置であってもよく、該ターゲットＤ２Ｄ装置は第一のＤ２Ｄ装置であってもよい。
【０１３３】
いくつかの実施例において、第一のＤ２Ｄ装置がリソースプールを検出することにより、リソース衝突率／リソース占有率がＰ１より小さいことを発見した場合、第一のＤ２Ｄ装置は、リソースプールの使用を一時停止せずにＤ２Ｄ通信を継続することができ、この時に第一のＤ２Ｄ装置は伝送内容の優先度が予め設定された優先度閾値より高いＤ２Ｄ装置であってもよく、優先度閾値をスケジューリング情報に含ませて他のＤ２Ｄ装置へ送信することができ、Ｄ２Ｄ装置がリソースプールを検出することにより、リソース衝突率／リソース占有率がＰ１より大きいことを発見した場合、ターゲットＤ２Ｄ装置はリソースプールの使用を一時停止又はＤ２Ｄ通信を停止することができ、この時にターゲットＤ２Ｄ装置は伝送内容の優先度が予め設定された又はネットワーク装置によって指示された優先度閾値より低いＤ２Ｄ装置であってもよい。
【０１３４】
いくつかの実施例において、第一のＤ２Ｄ装置がリソースプールを検出することにより、リソース衝突率／リソース占有率がＰ１より小さいことを発見した場合、ネットワーク装置はＤ２Ｄ通信を継続するように第一のＤ２Ｄ装置に指示することができ、即ち該第一のＤ２Ｄ装置は該リソースプールを使用し続け、リソース衝突率／リソース占有率がＰ１より小さい他のリソースプールのリソースが該第一のＤ２Ｄ装置のリソースプールに統合されてもよい。
【０１３５】
また、Ｄ２Ｄ通信を衝突回避の方式で行う方法は複数であってもよく、例えば、Ｄ２Ｄエアインタフェースを介してデータを送信する必要がある場合、Ｄ２Ｄ装置は一定の時間をランダムに遅延させて送信し、又は某確率Ｐ４（Ｐ４がネットワーク装置によって設定されてもよく、予め設定されてもよい）で送信することができる。このＰ４が０であってもよく、この場合、該Ｄ２Ｄ装置はＤ２Ｄ通信又はＤ２Ｄデータ伝送を停止することができる。
【０１３６】
いくつかの実施例において、Ｄ２Ｄ装置がリソースプールを検出することにより、リソース衝突率／リソース占有率がＰ２より大きいことを発見した場合、現在のＤ２Ｄリソース不足が深刻であることを示す。セルラーネットワークカバレッジがある場合、該Ｄ２Ｄ装置はこのイベントをネットワーク装置に報告することができ、ネットワーク装置はＤ２Ｄリソースを再割り当て、Ｄ２Ｄリソースの再割り当てが完了になるまでＤ２Ｄ通信を一時停止するようにＤ２Ｄ装置に指示する。
【０１３７】
いくつかの実施例において、セルラーネットワークのカバレッジがない場合、Ｄ２Ｄ装置がリソースプールを検出することにより、リソース衝突率／リソース占有率がＰ２より大きいことを発見した場合、該リソースプールが深刻に輻輳していることを示し、該Ｄ２Ｄ装置はリソースプール及び／又はリソースを再選択することができる。セルラーネットワークのカバレッジがない場合、Ｄ２Ｄ装置は一定の時間間隔ごとにリソースプールのリソース衝突率／リソース占有率を一回に検出することができ、具体的な時間間隔が予め設定されてもよい。
【０１３８】
いくつかの実施例において、Ｄ２Ｄ装置がリソースプールを検出することにより、リソース衝突率／リソース占有率がリソース使用パラメータ閾値より大きいことを発見した場合、ネットワーク装置がＤ２Ｄ装置の現在のサービスのうちの少なくとも部分のサービスを第三の動作モードから第三の動作モードに切り替えることができるように、このイベントをネットワーク装置に報告することができる。
【０１３９】
理解すべきものとして、ここでの第二の動作モードは以上に記載された第二の動作モード（動作モード２）であり、ここでの第三の動作モードは上記に記載されている第三の動作モード（動作モード３）、即ちＵｕインタフェースに基づくＤ２Ｄ通信モードである。
【０１４０】
選択可能に、前記リソース使用パラメータが第四の閾値より大きい場合、前記Ｄ２Ｄ装置は前記リソース使用パラメータが前記第四の閾値より大きいというイベントをネットワーク装置に報告し、該第四の閾値が第一のＤ２Ｄ装置がネットワーク装置へＤ２Ｄ装置の現在のサービスを報告するトリガ閾値である、と理解されてもよく、第四の閾値が第二の閾値又は第三の閾値と同じでも異なってもよく、即ちネットワーク装置がＤ２Ｄ通信リソースを再割り当てる閾値はＤ２Ｄ装置が現在のサービスを報告する閾値と同じでも異なってもよく、本出願の実施例では限定されない。
【０１４１】
本出願の実施例では第四の閾値が具体的に限定されず、いくつかの実施例において、該第四の閾値は上記に記載されている第二の閾値、即ちＰ２であってもよく、Ｐ２は現在のＤ２Ｄリソースの不足が非常に深刻であることを示すことができる。
【０１４２】
他のいくつかの実施例において、マッピングテーブルを予め設定することができ、このマッピングテーブルはサービスのＱｏＳユーズとリソース衝突率／リソース占有率との対応関係を記述することができる。例えば、マッピングテーブルには、（ＱｏＳ、Ｐ５）、（ＱｏＳ２、Ｐ６）、（ＱｏＳ３、Ｐ７）...のような対応関係が含まれる。、それらはＱｏＳニーズがＱｏＳ１であるサービスがリソース衝突率／リソース占有率がＰ５より小さい状態で動作する必要があり、ＱｏＳニーズがＱｏＳ２であるサービスがリソース衝突率／リソース占有率がＰ６より小さい状態で動作する必要がある、と意味することが可能であり、その他がこれによって類似されている。この場合、上記の第四の閾値はこのマッピングテーブルに記述されるある閾値であってもよく、Ｄ２Ｄ装置が現在のリソース衝突率／リソース占有率がいくつかのサービスのＱｏＳニーズを満たすことができないことを発見した場合、該Ｄ２Ｄ装置はネットワーク装置へイベントを報告する。いくつかの実施例において、上記のマッピングテーブルはネットワーク装置によって設定されてもよく、例えば、ネットワーク装置によってブロードキャスト、マルチキャスト、ユニキャストで第一のＤ２Ｄ装置に送信してもよく、ネットワーク装置によって専用シグナリングで第一のＤ２Ｄ装置に送信してもよい。
【０１４３】
説明すべきものとして、本出願の実施例では上記の第一のＤ２Ｄ装置の現在のサービスの具体的なタイプが限定されず、例えば、現在のサービスがビークルツービークル（Ｖ２Ｖ：Ｖｅｈｉｃｌｅ  ｔｏ  Ｖｅｈｉｃｌｅ）サービスであってもよく、Ｖ２Ｘサービスなどであってもよい。
【０１４４】
以下に現在のサービスがＶ２Ｖサービスであることを例として説明する。
【０１４５】
選択可能に、いくつかの実施例において、セルラーネットワークのカバレッジがある場合、該第一のＤ２Ｄ装置が接続状態（ＲＲＣ  ｃｏｎｎｅｃｔｅｄ  ｍｏｄｅ）にあると、該第一のＤ２Ｄ装置はこのイベントをネットワーク装置に報告し、また現在の自身のＶ２Ｖサービスをネットワーク装置に報告することができる。いくつかの実施例において、第一のＤ２Ｄ装置は現在のＶ２Ｖサービスに対応するＱｏＳニーズをネットワーク装置に報告することもできる。ネットワーク装置は、第一のＤ２Ｄ装置からの報告を受信した場合、該第一のＤ２Ｄ装置の少なくとも部分のサービスをＵｕインタフェースに基づく第三の動作モードに切り替え、リソースプールのリソースの負荷量を軽減させることができる。
【０１４６】
選択可能に、いくつかの実施例において、第一のＤ２Ｄ装置がアイドル状態（ｉｄｌｅ  ｍｏｄｅ）にあると、該第一のＤ２Ｄ装置はまず接続状態に入り、次にリソース衝突率／リソース占有率がリソース使用パラメタ―閾値より大きいというイベントをネットワーク装置に報告し、また既存のＶ２Ｖサービス及び／又は該Ｖ２Ｖサービスに対応するＱｏＳニーズをネットワーク装置に報告することができる。ネットワーク装置は、第一のＤ２Ｄ装置からの報告を受信した場合、該第一のＤ２Ｄ装置の少なくとも部分のサービスをＵｕインタフェースに基づく第三の動作モードに切り替え、リソースプールのリソースの負荷量を軽減させることができる。
【０１４７】
選択可能に、いくつかの実施例において、該第一のＤ２Ｄ装置は、接続状態になった後、自身が有する部分又は全部のＶ２Ｖサービス（現在ｍｏｄｅ−２にある）をＵｕインタフェースに基づく第三の動作モードで再確立するようにネットワーク装置に要求し、またリソース衝突率／リソース占有率が第四の閾値より大きいというイベントをネットワーク装置に報告することができる。
【０１４８】
選択可能に、いくつかの実施例において、ネットワーク装置は指定端末の周期的に報告する指定リソースプールのリソース衝突率／リソース占有率を設定することができる。
【０１４９】
選択可能に、いくつかの実施例において、第一のＤ２Ｄ装置は、リソース衝突率／リソース占有率がＰ２より大きいというイベントをネットワーク装置に報告する場合、リソース衝突率／リソース占有率をネットワーク装置に報告することができる。
【０１５０】
選択可能に、いくつかの実施例において、第一のＤ２Ｄ装置は、リソース占有率がＰ１より小さいというイベントをネットワーク装置に報告する場合、リソースプールのリソース占有率ｐ１をネットワーク装置に報告することができる。
【０１５１】
選択可能に、一つの実施例として、前記リソース使用パラメータが第二の閾値より大きい場合、前記リソースプールのターゲットＤ２Ｄ装置はＤ２Ｄ通信を衝突回避の方式で行い、前記ターゲットＤ２Ｄ装置は前記ネットワーク装置によって指定され、リソースプール中の部分又は全部のＤ２Ｄ装置であってもよい。
【０１５２】
選択可能に、一つの実施例として、前記リソース使用パラメータが第一の閾値より小さい場合、前記リソースプールのターゲットＤ２Ｄ装置は該リソースプールのリソースの使用を一時停止し、該ターゲットＤ２Ｄ装置がネットワーク装置によって指定され、伝送内容の優先度が予め設定された又はネットワーク装置によって指示された優先度閾値より低いＤ２Ｄ装置であってもよく、ターゲットＤ２Ｄ装置が該リソースプールを使用する部分又は全部のＤ２Ｄ装置であってもよい。
【０１５３】
選択可能に、一つの実施例として、前記リソース使用パラメータが第二の閾値より大きい場合、前記リソースプールのターゲットＤ２Ｄ装置はＤ２Ｄ通信を停止し、前記ターゲットＤ２Ｄ装置は前記ネットワークによって指定され、リソースプールの部分又は全部のＤ２Ｄ装置であってもよい。
【０１５４】
選択可能に、一つの実施例として、前記リソース使用パラメータが第二の閾値より小さく且つ第三の閾値より大きい場合、前記リソースプールのターゲットＤ２Ｄ装置は、Ｄ２Ｄ通信を衝突回避の方式で行い、前記ターゲットＤ２Ｄ装置は前記ネットワーク装置によって指定され、リソースプールの部分又は全部のＤ２Ｄ装置であってもよい。
【０１５５】
選択可能に、一つの実施例として、前記リソース使用パラメータが第二の閾値より小さく且つ第三の閾値より大きい場合、前記リソースプールのターゲットＤ２Ｄ装置は、Ｄ２Ｄ通信を停止し、前記ターゲットＤ２Ｄ装置は前記ネットワーク装置によって指定され、リソースプールの部分又は全部のＤ２Ｄ装置であってもよい。
【０１５６】
選択可能に、一つの実施例として、図１の方法は、前記リソース使用パラメータが第二の閾値より大きい場合、前記Ｄ２Ｄ装置がＤ２Ｄ通信を衝突回避の方式で行うことをさらに含むことができる。
【０１５７】
選択可能に、一つの実施例として、図１の方法は、前記リソース使用パラメータが第二の閾値より大きい場合、前記Ｄ２Ｄ装置がＤ２Ｄ通信を停止することをさらに含むことができる。
【０１５８】
選択可能に、一つの実施例として、図１の方法は、前記リソース使用パラメータが第二の閾値より小さく且つ第三の閾値より大きい場合、前記Ｄ２Ｄ装置がＤ２Ｄ通信を衝突回避の方式で行うことをさらに含むことができる。
【０１５９】
選択可能に、一つの実施例として、図１の方法は、前記リソース使用パラメータが第二の閾値より小さく且つ第三の閾値より大きい場合、前記Ｄ２Ｄ装置がＤ２Ｄ通信を停止することをさらに含むことができる。上記において、図１を参照し、Ｄ２Ｄ装置側から本出願の実施例によるＤ２Ｄ通信のための方法を詳細に説明したが、下記に図２を参照し、ネットワーク装置側から出願の実施例によるＤ２Ｄ通信のための方法を説明する。理解すべきものとして、ネットワーク装置側とＤ２Ｄ装置側からの説明が相互に対応するため、詳細に説明されない部分について図１の実施例を参照できる。
【０１６０】
図２は本出願の実施例におけるＤ２Ｄ通信のための方法の概略的なフローチャートである。該方法は以下のステップを含む。
【０１６１】
２１０、ネットワーク装置は、第一のＤ２Ｄ装置から報告されたリソースプールのリソース使用パラメータが第四の閾値より大きいというイベントを受信し、前記リソースプールがＤ２Ｄ通信に用いられ、前記リソース使用パラメータが前記リソースプールの占有されたリソースと前記リソースプールの総リソースとの比率を示すことに用いられ、又は前記リソース使用パラメータが前記リソースプールの衝突リソースと前記リソースプールの総リソースとの比率を示すことに用いられ、前記衝突リソースが前記リソースプールの複数のＤ２Ｄ信号に同時に占有されたリソースである。
【０１６２】
２２０、前記ネットワーク装置は前記リソース使用パラメータが第四の閾値より大きいというイベントに基づき、前記リソースプールのリソース又は前記リソースプールを使用する装置のサービスを調整する。
【０１６３】
選択可能に、一つの実施例として、図２の方法は、前記ネットワーク装置が前記第一のＤ２Ｄ装置から報告された現在のサービスを受信することをさらに含む。
【０１６４】
選択可能に、一つの実施例として、図２の方法は、前記ネットワーク装置が前記第一のＤ２Ｄ装置から送信されたリクエストメッセージを受信し、前記リクエストメッセージが前記第一のＤ２Ｄ装置がターゲットサービスを処理する時に使用する動作モードを第二の動作モードから第三の動作モードに切り替えるように前記ネットワーク装置にリクエストすることに用いられ、前記ターゲットサービスが前記第一のＤ２Ｄ装置の現在のサービスのうちの少なくとも部分のサービスであり、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェースに基づいてＤ２Ｄ通信を行うことをさらに含む。
【０１６５】
選択可能に、一つの実施例として、図２の方法は、前記ネットワーク装置が前記第一のＤ２Ｄ装置から報告された前記現在のサービスのうちの少なくとも部分のサービスに対応するサービス品質ＱｏＳニーズを受信することをさらに含む。
【０１６６】
選択可能に、一つの実施例として、前記ネットワーク装置が前記イベントに基づき、前記リソースプールのリソース又は前記リソースプールを使用する装置のサービスを調整することは、前記ネットワーク装置が前記イベントに基づき、前記第一のＤ２Ｄ装置が前記現在のサービスのうちの少なくとも部分のサービスを処理するために使用する動作モードを第二の動作モードから第三の動作モードに切り替え、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェースに基づいてＤ２Ｄ通信を行うことを含む。
【０１６７】
選択可能に、一つの実施例として、前記現在のサービスは前記第一のＤ２Ｄ装置の現在のＶ２Ｖサービスである。
【０１６８】
選択可能に、一つの実施例として、前記リソースプールのリソース使用パラメータが第四の閾値より大きいというイベントは、前記第一のＤ２Ｄ装置が設定されたマッピングテーブルに基づいて確定したものであり、前記マッピングテーブルが前記第一のＤ２Ｄ装置の現在のサービスに対応するＱｏＳニーズと前記第四の閾値との対応関係を示すことに用いられる。
【０１６９】
選択可能に、一つの実施例として、図２の方法は、前記ネットワーク装置が前記第一のＤ２Ｄ装置から周期的に報告された前記ターゲットリソースプールのリソース使用パラメータを受信することをさらに含む。
【０１７０】
選択可能に、一つの実施例として、図２の方法は、前記リソース使用パラメータが第四の閾値より大きい場合、前記ネットワーク装置が前記第一のＤ２Ｄ装置から報告された前記リソース使用パラメータを受信することをさらに含む。
【０１７１】
上記に図１と図２を参照し、本出願の実施例によるＤ２Ｄ通信のための方法を詳細に説明したが、以下に図３と図４を参照し、本出願の実施例によるＤ２Ｄ装置を詳細に説明する。理解すべきものとして、図３又は図４に説明されるＤ２Ｄ装置は、上記の第一のＤ２Ｄ装置によって実行される各ステップを実行できるため、繰り返しを回避するために、ここでは説明を省略する。
【０１７２】
以下に本出願の装置の実施例を説明し、装置の実施例が上記の方法を実行できるため、詳細に説明されない部分について以上の各方法の実施例を参照できる。
【０１７３】
図３は本出願の実施例におけるＤ２Ｄ装置の概略的な構成図である。図３のＤ２Ｄ装置３００は、
リソースプールのターゲットリソースを確定するように構成され、前記リソースプールがＤ２Ｄ通信に用いられ、前記ターゲットリソースが前記リソースプール中の占有されたリソース又は前記リソースプール中の衝突リソースであり、前記衝突リソースが前記リソースプール中の複数のＤ２Ｄ信号に同時に占有されたリソースである第一の確定ユニット３１０と、
前記ターゲットリソースに基づいて前記リソースプールのリソース使用パラメータを確定するように構成され、前記リソース使用パラメータが前記占有されたリソースと前記リソースプールの総リソースとの比率を示すことに用いられ、又は前記リソース使用パラメータが前記衝突リソースと前記リソースプールの総リソースとの比率を示すことに用いられる第二の確定ユニット３２０とを備える。
【０１７４】
選択可能に、一つの実施例として、前記Ｄ２Ｄ装置は、前記リソース使用パラメータが第一の閾値より小さい場合、前記リソース使用パラメータが前記第一の閾値より小さいというイベントをネットワーク装置に報告するように構成される第一の報告ユニットをさらに備える。
【０１７５】
選択可能に、一つの実施例として、前記Ｄ２Ｄ装置は、予め設定された期間内で、前記リソース使用パラメータが第一の閾値より小さい場合、前記リソース使用パラメータが前記第一の閾値より小さいというイベントをネットワーク装置に報告するように構成される第二の報告ユニットをさらに備える。
【０１７６】
選択可能に、一つの実施例として、前記リソース使用パラメータが前記第一の閾値より小さいというイベントは、前記ネットワーク装置が前記リソースプールを縮小又は統合するようにトリガすることに用いられる。
【０１７７】
選択可能に、一つの実施例として、前記Ｄ２Ｄ装置は、前記リソース使用パラメータが前記第一の閾値より小さいというイベントをネットワーク装置に報告した後、前記リソースプールの使用を一時停止するように構成される一時停止ユニットをさらに備える。
【０１７８】
選択可能に、一つの実施例として、前記一時停止ユニットは具体的に、前記リソース使用パラメータが前記第一の閾値より小さいというイベントをネットワーク装置に報告した後、前記ネットワーク装置から送信された第一の指示情報を受信し、前記第一の指示情報が前記リソースプールの使用を一時停止するように前記Ｄ２Ｄ装置に指示し、前記第一の指示情報に基づいて前記現在のリソースの使用を一時停止するように構成される。
【０１７９】
選択可能に、一つの実施例として、前記Ｄ２Ｄ装置は、前記リソース使用パラメータが第二の閾値より大きい場合、前ネットワーク装置が前記リソースプールのリソースを再割り当てるように、前記リソース使用パラメータが前記第二の閾値より大きいというイベントをネットワーク装置に報告するように構成される第三の報告ユニットをさらに備える。
【０１８０】
選択可能に、一つの実施例として、前記Ｄ２Ｄ装置は、前記リソース使用パラメータが第二の閾値より大きい場合、リソースプールを再選択するように構成される選択ユニットをさらに備える。
【０１８１】
選択可能に、一つの実施例として、前記Ｄ２Ｄ装置は、前記リソース使用パラメータが第二の閾値より小さく且つ第三の閾値より大きい場合、前記ネットワーク装置が前記リソースプールのリソースを衝突回避の方式で使用するように前記リソースプール中のＤ２Ｄ装置に指示するように、前記リソース使用パラメータが前記第二の閾値より小さく且つ前記第三の閾値より大きいというイベントをネットワーク装置に報告するように構成される第四の報告ユニットをさらに備える。
【０１８２】
選択可能に、一つの実施例として、前記Ｄ２Ｄ装置は、前記リソース使用パラメータが第二の閾値より小さく且つ第三の閾値より大きい場合、前記リソースプールの他のＤ２Ｄ装置へ第二の指示情報を送信するように構成され、前記第二の指示情報が前記リソースプールのリソースを衝突回避の方式で使用するように前記他のＤ２Ｄ装置に指示することに用いられる第一の送信ユニットをさらに備える。
【０１８３】
選択可能に、一つの実施例として、前記Ｄ２Ｄ装置は、前記リソース使用パラメータが第二の閾値より小さく且つ第三の閾値より大きい場合、前記ネットワーク装置が前記リソースプールのリソースを再割り当てるように、前記リソース使用パラメータが前記第二の閾値より小さく且つ前記第三の閾値より大きいというイベントをネットワーク装置に報告するように構成される第五の報告ユニットをさらに備える。
【０１８４】
選択可能に、一つの実施例として、前記第二の確定ユニット３２０は、具体的に前記リソースプールの予め設定されたリソースで他のＤ２Ｄ装置から送信されたスケジューリング情報を受信し、前記スケジューリング情報が前記他のＤ２Ｄ装置のデータを搬送するリソースの前記リソースプールでの位置を示すことに用いられ、前記スケジューリング情報に基づき、前記リソース使用パラメータを確定するように構成される。
【０１８５】
選択可能に、一つの実施例として、第二の確定ユニット３２０は、具体的に前記リソースプールのリソースを使用するＤ２Ｄ信号のエネルギーを検出し、前記Ｄ２Ｄ信号のエネルギーに基づき、前記リソース使用パラメータを確定するように構成される。
【０１８６】
選択可能に、一つの実施例として、前記リソースプールのＤ２Ｄ装置の伝送内容が優先度を有し、前記Ｄ２Ｄ装置は、前記リソース使用パラメータが第二の閾値より大きい場合、Ｄ２Ｄ通信を衝突回避の方式で行い、Ｄ２Ｄ通信を停止するように構成され、又は、前記リソース使用パラメータが第二の閾値より小さく且つ第三の閾値より大きい場合、Ｄ２Ｄ通信を衝突回避の方式で行い、又はＤ２Ｄ通信を停止するように構成される通信ユニットをさらに備え、前記Ｄ２Ｄ装置は前記リソースプールの伝送内容の優先度が優先度閾値以下であるＤ２Ｄ装置である。
【０１８７】
選択可能に、一つの実施例として、前記リソースプールの各Ｄ２Ｄ装置の伝送内容の優先度情報は前記各Ｄ２Ｄ装置によって予め設定されたリソースで送信されたスケジューリング情報に含まれる。
【０１８８】
選択可能に、一つの実施例として、前記リソースプールに前記リソース使用パラメータに対応する少なくとも一つの閾値が設定される。
【０１８９】
選択可能に、一つの実施例として、前記Ｄ２Ｄ装置は、ネットワーク装置から送信された第三の指示情報を受信するように構成され、前記第三の指示情報がＤ２Ｄ通信を衝突回避の方式で行い、又はＤ２Ｄ通信を停止するように前記リソースプールの伝送内容の優先度が前記優先度閾値以下であるＤ２Ｄ装置に指示することに用いられる受信ユニットをさらに備え、前記通信ユニットは、具体的に前記第三の指示情報に基づいてＤ２Ｄ通信を衝突回避の方式で行い、又はＤ２Ｄ通信を停止するように構成される。
【０１９０】
選択可能に、一つの実施例として、前記Ｄ２Ｄ装置は、前記リソース使用パラメータが第四の閾値より大きい場合、前記リソース使用パラメータが前記第四の閾値より大きいというイベントをネットワーク装置に報告するように構成される第二の送信ユニットをさらに備える。
【０１９１】
選択可能に、一つの実施例として、前記Ｄ２Ｄ装置は、前記リソース使用パラメータが前記第四の閾値より大きい場合、前記ネットワーク装置が前記Ｄ２Ｄ装置が前記現在のサービスのうちの少なくとも部分のサービスを処理するために使用する動作モードを第二の動作モードから第三の動作モードに切り替えるように、前記Ｄ２Ｄ装置の現在のサービスを前記ネットワーク装置に報告するように構成され、前記第二の動作モードにおけるＤ２Ｄ装置に使用されるリソースが前記Ｄ２Ｄ装置によって自主的に選択され、前記第三の動作モードにおけるＤ２Ｄ装置がセルラーネットワークインタフェースに基づいてＤ２Ｄ通信を行う第三の送信ユニットをさらに備える。
【０１９２】
選択可能に、一つの実施例として、前記Ｄ２Ｄ装置は、前記リソース使用パラメータが前記第四の閾値より大きい場合、前記ネットワーク装置へリクエストメッセージを送信するように構成され、前記リクエストメッセージが前記Ｄ２Ｄ装置がターゲットサービスを処理する時に使用する動作モードを第二の動作モードから第三の動作モードに切り替えるように前記ネットワーク装置にリクエストすることに用いられ、その中、前記ターゲットサービスが前記Ｄ２Ｄ装置の現在のサービスのうちの少なくとも部分のサービスであり、前記第二の動作モードにおけるＤ２Ｄ装置に使用されるリソースが前記Ｄ２Ｄ装置によって自主的に選択され、前記第三の動作モードにおけるＤ２Ｄ装置がセルラーネットワークインタフェースに基づいてＤ２Ｄ通信を行う第四の送信ユニットをさらに備える。
【０１９３】
選択可能に、一つの実施例として、前記Ｄ２Ｄ装置は、前記リソース使用パラメータが前記第四の閾値より大きい場合、前記現在のサービスのうちの少なくとも部分のサービスに対応するサービス品質ＱｏＳニーズを前記ネットワーク装置に報告するように構成される第五の送信ユニットをさらに備える。
【０１９４】
選択可能に、一つの実施例として、前記現在のサービスは前記Ｄ２Ｄ装置の現在のＶ２Ｖサービスである。
【０１９５】
選択可能に、一つの実施例として、前記Ｄ２Ｄ装置は、前記現在のサービスのＱｏＳニーズ、及び設定されたマッピングテーブルに基づき、前記第四の閾値を確定するように構成され、前記マッピングテーブルが前記ＱｏＳニーズと前記第四の閾値との対応関係を示すことに用いられる第三の確定ユニットをさらに備える。
【０１９６】
選択可能に、一つの実施例として、前記Ｄ２Ｄ装置は、前記ターゲットリソースプールのリソース使用パラメータを前記ネットワーク装置に周期的に報告するように構成される第六の送信ユニットをさらに備える。
【０１９７】
選択可能に、一つの実施例として、前記Ｄ２Ｄ装置は、前記リソース使用パラメータが第四の閾値より大きい場合、前記リソース使用パラメータを前記ネットワーク装置に報告するように構成される第七の送信ユニットをさらに備える。
【０１９８】
図４は本出願の実施例におけるネットワーク装置の概略的な構成図である。図４のネットワーク装置４００は、
第一のＤ２Ｄ装置から報告されたリソースプールのリソース使用パラメータが第四の閾値より大きいというイベントを受信するように構成され、前記リソースプールがＤ２Ｄ通信のためのリソースプールのうちのいずれかのリソースプールであり、前記リソース使用パラメータが前記リソースプールの占有されたリソースと前記リソースプールの総リソースとの比率を示すことに用いられ、又は前記リソース使用パラメータが前記リソースプールの衝突リソースと前記リソースプールの総リソースとの比率を示すことに用いられ、前記衝突リソースが前記リソースプールの複数のＤ２Ｄ信号に同時に占有されたリソースである第一の受信ユニット４１０と、
前記イベントに基づき、前記リソースプールのリソース又は前記リソースプールを使用する装置のサービスを調整するように構成される調整ユニット４２０とを備える。
【０１９９】
選択可能に、一つの実施例として、前記ネットワーク装置は、前記第一のＤ２Ｄ装置から報告された現在のサービスを受信するように構成される第二の受信ユニットをさらに備える。
【０２００】
選択可能に、一つの実施例として、前記ネットワーク装置は、前記第一のＤ２Ｄ装置から送信されたリクエストメッセージを受信するように構成され、前記リクエストメッセージが前記第一のＤ２Ｄ装置がターゲットサービスを処理する時に使用する動作モードを第二の動作モードから第三の動作モードに切り替えるように前記ネットワーク装置にリクエストすることに用いられ、前記ターゲットサービスが前記第一のＤ２Ｄ装置の現在のサービスのうちの少なくとも部分のサービスであり、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェースに基づいてＤ２Ｄ通信を行う第三の受信ユニットをさらに備える。
【０２０１】
選択可能に、一つの実施例として、前記ネットワーク装置は、前記第一のＤ２Ｄ装置から報告された前記現在のサービスのうちの少なくとも部分のサービスに対応するサービス品質ＱｏＳニーズを受信するように構成される第四の受信ユニットをさらに備える。
【０２０２】
選択可能に、一つの実施例として、前記調整ユニットは、具体的に前記イベントに基づき、前記Ｄ２Ｄ装置が前記現在のサービスのうちの少なくとも部分のサービスを処理するために使用する動作モードを第二の動作モードから第三の動作モードに切り替えるように構成され、前記第二の動作モードにおける第一のＤ２Ｄ装置に使用されるリソースが前記第一のＤ２Ｄ装置によって自主的に選択され、前記第三の動作モードにおける第一のＤ２Ｄ装置がセルラーネットワークインタフェースに基づいてＤ２Ｄ通信を行う。
【０２０３】
選択可能に、一つの実施例として、前記現在のサービスは前記第一のＤ２Ｄ装置の現在のＶ２Ｖサービスである。
【０２０４】
選択可能に、一つの実施例として、前記リソースプールのリソース使用パラメータが第四の閾値より大きいというイベントは前記第一のＤ２Ｄ装置が設定されたマッピングテーブルに基づいて確定したものであり、その中、前記マッピングテーブルが前記第一のＤ２Ｄ装置の現在のサービスに対応するＱｏＳニーズと前記第四の閾値との対応関係を示すことに用いられる。
【０２０５】
選択可能に、一つの実施例として、前記ネットワーク装置は、前記第一のＤ２Ｄ装置から周期的に報告された前記ターゲットリソースプールのリソース使用パラメータを受信するように構成される第五の受信ユニットをさらに備える。
【０２０６】
選択可能に、一つの実施例として、前記ネットワーク装置は、前記リソース使用パラメータが第四の閾値より大きい場合、前記第一のＤ２Ｄ装置から報告された前記リソース使用パラメータを受信するように構成される第六の受信ユニットをさらに備える。
【０２０７】
図５は本出願の実施例におけるＤ２Ｄ装置の概略的な構成図である。図５のＤ２Ｄ装置５００は、
プログラムを記憶するように構成される記憶装置５１０と、
前記記憶装置５１０に記憶されたプログラムを実行し、前記プログラムが実行されると、リソースプールのターゲットリソースを確定するように構成され、前記リソースプールがＤ２Ｄ通信に用いられ、前記ターゲットリソースが前記リソースプール中の占有されたリソース又は前記リソースプール中の衝突リソースであり、前記衝突リソースが前記リソースプール中の複数のＤ２Ｄ信号に同時に占有されたリソースであり、前記ターゲットリソースに基づいて前記リソースプールのリソース使用パラメータを確定し、前記リソース使用パラメータが前記占有されたリソースと前記リソースプールの総リソースとの比率を示すことに用いられ、又は前記リソース使用パラメータが前記衝突リソースと前記リソースプールの総リソースとの比率を示すことに用いられるプロセッサ５２０とを備える。
【０２０８】
選択可能に、一つの実施例として、Ｄ２Ｄ装置５００は、前記リソース使用パラメータが第四の閾値より大きい場合、前記リソース使用パラメータが前記第四の閾値より大きいというイベントをネットワーク装置に報告するように構成される送受信機５３０をさらに備える。
【０２０９】
選択可能に、一つの実施例として、送受機５３０は、さらに前記リソース使用パラメータが第一の閾値より大きい場合、前記リソース使用パラメータが前記第一の閾値より大きいというイベントをネットワーク装置に報告するように構成される。
【０２１０】
選択可能に、一つの実施例として、送受機５３０は、予め設定された期間内で、前記リソース使用パラメータが第一の閾値より小さい場合、前記リソース使用パラメータが前記第一の閾値より小さいというイベントをネットワーク装置に報告するように構成される。
【０２１１】
選択可能に、一つの実施例として、前記リソース使用パラメータが第一の閾値より小さいというイベントは、前記ネットワーク装置が前記リソースプールを縮小又は統合するようにトリガすることに用いられる。
【０２１２】
選択可能に、一つの実施例として、プロセッサ５２０は、さらに前記リソース使用パラメータが前記第一の閾値より小さいというイベントを報告した後、前記リソースプールの使用を一時的に停止するように構成される。
【０２１３】
選択可能に、一つの実施例として、送受信機５３０は、さらに前記リソース使用パラメータが前記第一の閾値より小さいというイベントを報告した後、前記ネットワーク装置から送信された第一の指示情報を受信するように構成され、前記第一の指示情報が前記リソースプールの使用を一時停止するように前記Ｄ２Ｄに指示することに用いられ、前記プロセッサ５２０は、さらに前記第一の指示情報に基づいて前記リソースプールの使用を一時停止するように構成される。
【０２１４】
選択可能に、一つの実施例として、送受信機５３０は、さらに前記リソース使用パラメータが前記第二の閾値より大きい場合、前記ネットワーク装置が前記リソースプールのリソースを再割り当てるように、前記リソース使用パラメータが前記第二の閾値より大きいというイベントをネットワーク装置に報告するように構成される。
【０２１５】
選択可能に、一つの実施例として、プロセッサ５２０はさらに前記リソース使用パラメータが第二の閾値より大きい場合、リソースプールを再選択するように構成される。
【０２１６】
選択可能に、一つの実施例として、送受信機５３０は、さらに前記リソース使用パラメータが第二の閾値より小さく且つ第三の閾値より大きい場合、前記ネットワーク装置が前記リソースプールのリソースを衝突回避の方式で使用するように前記リソースプールのＤ２Ｄ装置に指示するように、前記リソース使用パラメータが前記第二の閾値より小さく且つ前記第三の閾値より大きいというイベントをネットワーク装置に報告するように構成される。
【０２１７】
選択可能に、一つの実施例として、送受信機５３０は、さらに前記リソース使用パラメータが第二の閾値より小さく且つ第三の閾値より大きい場合、前記リソースプールの他のＤ２Ｄ装置へ第二の指示情報を送信するように構成され、前記第二の指示情報が前記リソースプールのリソースを衝突回避の方式で使用するように前記他のＤ２Ｄ装置に指示することに用いられる。
【０２１８】
選択可能に、一つの実施例として、送受信機５３０は、さらに前記リソース使用パラメータが第二の閾値より小さく且つ第三の閾値より大きい場合、前記ネットワーク装置が前記リソースプールのリソースを再割り当てるように、前記リソース使用パラメータが前記第二の閾値より小さく且つ前記第三の閾値より大きいというイベントをネットワーク装置に報告するように構成される。
【０２１９】
選択可能に、一つの実施例として、プロセッサ５２０は、具体的に前記リソースプールの予め設定されたリソースで他のＤ２Ｄ装置から送信されたスケジューリング情報を受信し、前記スケジューリング情報が前記他のＤ２Ｄ装置のデータを搬送するリソースの前記リソースプールでの位置を示すことに用いられ、前記スケジューリング情報に基づき、前記リソース使用パラメータを確定するように構成される。
【０２２０】
選択可能に、一つの実施例として、プロセッサ５２０は、具体的に
前記リソースプールのリソースを使用するＤ２Ｄ信号のエネルギーを検出し、前記Ｄ２Ｄ信号のエネルギーに基づき、前記リソース使用パラメータを確定するように構成される。
【０２２１】
選択可能に、一つの実施例として、前記リソースプールのＤ２Ｄ装置の伝送内容が優先度を有し、プロセッサ５２０は、さらに前記リソース使用パラメータが第二の閾値より大きい場合、Ｄ２Ｄ通信を衝突回避の方式で行い、又はＤ２Ｄ通信を停止するように構成され、又は、前記プロセッサ５２０は、さらに前記リソース使用パラメータが第二の閾値より小さく且つ第三の閾値より大きい場合、Ｄ２Ｄ通信を衝突回避の方式で行い、又はＤ２Ｄ通信を停止するように構成され、前記Ｄ２Ｄ装置５００が前記リソースプールの伝送内容の優先度が優先度閾値以下であるＤ２Ｄ装置である。
【０２２２】
選択可能に、一つの実施例として、前記リソースプールの各Ｄ２Ｄ装置の伝送内容の優先度情報は前記各Ｄ２Ｄ装置によって予め設定されたリソースで送信されたスケジューリング情報に含まれる。
【０２２３】
選択可能に、一つの実施例として、前記送受信機５３０は、ネットワーク装置から送信された第三の指示情報を受信するように構成され、前記第三の指示情報がＤ２Ｄ通信を衝突回避の方式で行い、又はＤ２Ｄ通信を停止するように前記リソースプールの伝送内容の優先度が前記優先度閾値以下であるＤ２Ｄ装置に指示することに用いられ、前記プロセッサ５２０は、具体的に前記第三の指示情報に基づいてＤ２Ｄ通信を衝突回避の方式で行い、又はＤ２Ｄ通信を停止するように構成される。
【０２２４】
選択可能に、一つの実施例として、前記リソースプールに前記リソース使用パラメータに対応する少なくとも一つの閾値が設定される。
【０２２５】
選択可能に、一つの実施例として、前記送受信機５３０は、さらに前記リソース使用パラメータが前記第四の閾値より大きい場合、前記ネットワーク装置が前記Ｄ２Ｄ装置が前記現在のサービスのうちの少なくとも部分のサービスを処理するために使用する動作モードを第二の動作モードから第三の動作モードに切り替えるように、前記Ｄ２Ｄ装置の現在のサービスを前記ネットワーク装置に報告するように構成され、前記第二の動作モードにおけるＤ２Ｄ装置に使用されるリソースが前記Ｄ２Ｄ装置によって自主的に選択され、前記第三の動作モードにおけるＤ２Ｄ装置がセルラーネットワークインタフェースに基づいてＤ２Ｄ通信を行う。
【０２２６】
選択可能に、一つの実施例として、前記送受信機５３０は、さらに前記リソース使用パラメータが前記第四の閾値より大きい場合、前記ネットワーク装置へリクエストメッセージを送信するように構成され、前記リクエストメッセージが前記第一のＤ２Ｄ装置がターゲットサービスを処理する時に使用する動作モードを第二の動作モードから第三の動作モードに切り替えるように前記ネットワーク装置にリクエストすることに用いられ、前記ターゲットサービスが前記Ｄ２Ｄ装置の現在のサービスのうちの少なくとも部分のサービスであり、前記第二の動作モードにおけるＤ２Ｄ装置に使用されるリソースが前記Ｄ２Ｄ装置によって自主的に選択され、前記第三の動作モードにおけるＤ２Ｄ装置がセルラーネットワークインタフェースに基づいてＤ２Ｄ通信を行う。
【０２２７】
選択可能に、一つの実施例として、前記送受信機５３０は、さらに前記リソース使用パラメータが前記第四の閾値より大きい場合、前記現在のサービスのうちの少なくとも部分のサービスに対応するサービス品質ＱｏＳニーズを前記ネットワーク装置に報告するように構成される。
【０２２８】
選択可能に、一つの実施例として、前記現在のサービスは前記Ｄ２Ｄ装置の現在のＶ２Ｖサービスである。
【０２２９】
選択可能に、一つの実施例として、前記プロセッサ５２０は、さらに前記現在のサービスのＱｏＳニーズ、及び設定されたマッピングテーブルに基づき、前記第四の閾値を確定するように構成され、前記マッピングテーブルが前記ＱｏＳニーズと前記第四の閾値との対応関係を示すことに用いられる。
【０２３０】
選択可能に、一つの実施例として、前記送受信機５３０は、さらに、前記Ｄ２Ｄ装置が前記ターゲットリソースプールのリソース使用パラメータを前記ネットワーク装置に周期的に報告するように構成される。
【０２３１】
選択可能に、一つの実施例として、前記送受信機５３０は、さらに前記リソース使用パラメータが第四の閾値より大きい場合、前記Ｄ２Ｄ装置が前記リソース使用パラメータを前記ネットワーク装置に報告するように構成される。
【０２３２】
図６は本出願の実施例におけるネットワーク装置の概略的な構成図である。図６のネットワーク装置６００は、
プログラムを記憶するように構成される記憶装置６１０と、
Ｄ２Ｄ装置から報告されたリソースプールのリソース使用パラメータが第四の閾値より大きいというイベントを受信するように構成され、前記リソースプールがＤ２Ｄ通信に用いられ、前記リソース使用パラメータが前記リソースプール中の占有されたリソースと前記リソースプール中の総リソースとの比率を示すことに用いられ、又は前記リソース使用パラメータが前記リソースプール中の衝突リソースと前記リソースプール中の総リソースとの比率を示すことに用いられ、前記衝突リソースが前記リソースプール中の複数のＤ２Ｄ信号に同時に占有されたリソースである送受信機６２０と、
前記記憶装置６１０でのプログラムを実行し、前記プログラムが実行されると、前記イベントに基づき、前記リソースプールのリソースと前記リソースプールを使用する装置のサービスを調整するように構成されるプロセッサ６３０とを備える。
【０２３３】
選択可能に、一つの実施例として、前記送受信機６２０はさらに前記Ｄ２Ｄ装置から報告された現在のサービスを受信するように構成される。
【０２３４】
選択可能に、一つの実施例として、前記送受信機６２０はさらに前記Ｄ２Ｄ装置から送信されたリクエストメッセージを受信するように構成され、前記リクエストメッセージが前記Ｄ２Ｄ装置がターゲットサービスを処理する時に使用する動作モードを第二の動作モードから第三の動作モードに切り替えるように前記ネットワーク装置にリクエストすることに用いられ、前記ターゲットサービスが前記Ｄ２Ｄ装置の現在のサービスのうちの少なくとも部分のサービスであり、前記第二の動作モードにおけるＤ２Ｄ装置に使用されるリソースが前記Ｄ２Ｄ装置によって自主的に選択され、前記第三の動作モードにおけるＤ２Ｄ装置がセルラーネットワークインタフェースに基づいてＤ２Ｄ通信を行う。
【０２３５】
選択可能に、一つの実施例として、前記送受信機６２０はさらに前記Ｄ２Ｄ装置から報告された前記現在のサービスのうちの少なくとも部分のサービスに対応するサービス品質ＱｏＳニーズを受信するように構成される。
【０２３６】
選択可能に、一つの実施例として、前記プロセッサ６３０はさらに
前記イベントに基づき、前記Ｄ２Ｄ装置が前記現在のサービスのうちの少なくとも部分のサービスを処理するために使用する動作モードを第二の動作モードから第三の動作モードに切り替えるように構成され、前記第二の動作モードにおけるＤ２Ｄ装置に使用されるリソースが前記Ｄ２Ｄ装置によって自主的に選択され、前記第三の動作モードにおけるＤ２Ｄ装置がセルラーネットワークインタフェースに基づいてＤ２Ｄ通信を行う。
【０２３７】
選択可能に、一つの実施例として、前記現在のサービスは前記Ｄ２Ｄ装置の現在のＶ２Ｖサービスである。
【０２３８】
選択可能に、一つの実施例として、前記リソースプールのリソース使用パラメータが第四の閾値より大きいというイベントは前記Ｄ２Ｄ装置が設定されたマッピングテーブルに基づいて確定したものであり、その中、前記マッピングテーブルが前記Ｄ２Ｄ装置の現在のサービスに対応するＱｏＳニーズと前記第四の閾値との対応関係を示すことに用いられる。
【０２３９】
選択可能に、一つの実施例として、前記送受信機６２０はさらに前記Ｄ２Ｄ装置から周期的に報告された前記ターゲットリソースプールのリソース使用パラメータを受信するように構成される。
【０２４０】
選択可能に、一つの実施例として、前記送受信機６２０はさらに前記リソース使用パラメータが第四の閾値より大きい場合、前記Ｄ２Ｄ装置から報告された前記リソース使用パラメータを受信するように構成される。
【０２４１】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるか否かは技術的解決策の特定アプリケーションと設計制約条件に依存する。当業者は各特定のアプリケーションに対して異なる方法を使用して説明された機能を実現することができるが、このような実現は本発明の範囲を超えていると考えられるべきではない。
【０２４２】
当業者は便利且つ簡潔で説明するために、上述したシステム、装置とユニットの具体的な動作プロセスについて上記方法の実施例における対応するプロセスを参照でき、ここで説明を省略することを明確に理解することができる。
【０２４３】
本出願が提供するいくつかの実施例では、開示されたシステム、装置および方法は他の方式により実現されてもよいと理解すべきである。例えば、上述した装置の実施例は例示的なものに過ぎず、例えば、前記ユニットの区分はロジック機能的区分だけであり、実際に実施する時に他の区分方式もあり得るのであって、例えば複数のユニットまたは構成要素は組み合わせられてもよく、または別のシステムに統合されてもよく、又はいくつかの特徴は無視されてもよく、又は実行されなくてもよい。また、示されるまたは議論される相互結合又は直接結合又は通信接続はいくつかのインタフェース、装置又はユニットを介する間接的結合又は通信接続であってもよく、電気的、機械的又は他の形態であってもよい。
【０２４４】
分離部材として説明された前記ユニットは物理的に分離するものであってもよく、または物理的に分離するものでなくてもよく、ユニットとして表示された部材は物理的ユニットであってもよく、または物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０２４５】
また、本出願の各実施例における各機能ユニットは一つの処理ユニットに統合されてもよく、個々のユニットは単独で物理的に存在してもよく、二つまたは二つ以上のユニットは一つのユニットに統合されてもよい。
【０２４６】
前記機能はソフトウェア機能ユニットの形態で実現され且つ独立した製品として販売または使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本出願の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２４７】
以上は、本出願の具体的な実施形態だけであるが、本出願の保護範囲はこれに限定されず、本分野の当業者が本出願に開示された技術範囲で容易に想到することできる変化又は置き換えは、全て本出願の保護範囲に含まれるべきである。したがって、本出願の保護範囲は前記特許請求の範囲の保護範囲を準にするべきである。
【図１】
2019513319.tif 000003
【図２】
2019513319.tif 000004
【図３】
2019513319.tif 000005
【図４】
2019513319.tif 000006
【図５】
2019513319.tif 000007
【図６】
2019513319.tif 000008
【手続補正書】
【提出日】平成30年9月20日(2018.9.20)
【手続補正１】
【補正対象書類名】明細書
【補正対象項目名】０００１
【補正方法】削除
【補正の内容】
【手続補正２】
【補正対象書類名】明細書
【補正対象項目名】００６８
【補正方法】変更
【補正の内容】
【００６８】
第一の態様と組み合わせ、第一の態様のいくつかの実施形態において、前記方法は、前記リソース使用パラメータが第四の閾値より大きい場合、前記第一のＤ２Ｄ装置が前記リソース使用パラメータを前記ネットワーク装置に報告することをさらに含む。
第一の態様と組み合わせ、第一の態様のいくつかの実施形態において、前記方法は、マッピング関係を取得することをさらに含み、前記マッピング関係は、前記第一のＤ２Ｄ装置のサービスのＱｏＳニーズと前記リソース使用パラメータの第四の閾値との対応関係を示すために用いられる。
第一の態様と組み合わせ、第一の態様のいくつかの実施形態において、前記方法は、前記第一のＤ２Ｄ装置の現在のサービスのＱｏＳニーズと前記マッピング関係とに基づいて、前記第四の閾値を確定することと、前記リソース使用パラメータが第四の閾値より大きい場合、現在のサービス、前記現在のサービス内の第一の少なくとも部分のサービスに対応するサービス品質ＱｏＳニーズ、前記リソース使用パラメータ、又は、前記第一のＤ２Ｄ装置が現在サービス内の第二の少なくとも部分のサービスを処理する時に使用される動作モードを、セルラーネットワークインタフェースに基づいてＤ２Ｄ通信を行うモードに切り替えるためのリクエストのうちの少なくとも一つを、前記ネットワーク装置にを送信することと、をさらに含む。
第一の態様と組み合わせ、第一の態様のいくつかの実施形態において、前記マッピング関係は、ネットワーク装置により予め設定されるものであり、マッピング関係を取得することは、ネットワーク装置がブロードキャスト、マルチキャスト、ユニキャスト、又は専用シグナリングを介して送信される前記マッピング関係を受信することを含む。
第一の態様と組み合わせ、第一の態様のいくつかの実施形態において、前記リソース使用パラメータは、特定の期間内で占有される前記リソースが前記リソースプールの総リソースに占める割合を示すことに用いられ、又は、前記リソース使用パラメータは、特定の期間内で前記衝突リソースが前記リソースプールの総リソースに占める割合を示すことに用いられる。
【手続補正３】
【補正対象書類名】明細書
【補正対象項目名】００８３
【補正方法】変更
【補正の内容】
【００８３】
第八の態様によるコンピュータ可読媒体は、Ｄ２Ｄ装置で実行されるプログラムコードを記憶するように構成され、前記プログラムコードが第二の態様における方法を実行するための命令を含む。
第九の態様によるチップは、メモリからコンピュータプログラムを呼び出して実行し、前記チップを装着する装置が第一の様態の方法を実行するようにするためのプロセッサを含む。
【手続補正４】
【補正対象書類名】特許請求の範囲
【補正対象項目名】全文
【補正方法】変更
【補正の内容】
【特許請求の範囲】
【請求項１】
デバイスツーデバイスＤ２Ｄ通信のための方法であって、
第一のＤ２Ｄ装置がリソースプールのターゲットリソースを確定することと、
前記第一のＤ２Ｄ装置が前記ターゲットリソースに基づいて前記リソースプールのリソース使用パラメータを確定することと、を含み、
前記リソースプールがＤ２Ｄ通信に用いられ、前記ターゲットリソースが前記リソースプール中の占有されたリソース又は前記リソースプール中の衝突リソースであり、前記衝突リソースが前記リソースプール中の複数のＤ２Ｄ信号に同時に占有されたリソースであり、
前記リソース使用パラメータが前記占有されたリソースと前記リソースプールの総リソースとの比率を示すことに用いられ、又は前記リソース使用パラメータが前記衝突リソースと前記リソースプールの総リソースとの比率を示すことに用いられることを特徴とする、
Ｄ２Ｄ通信方法。
【請求項２】
前記方法は、
前記リソース使用パラメータが第一の閾値より小さい場合、前記第一のＤ２Ｄ装置が前記リソース使用パラメータが前記第一の閾値より小さいというイベントをネットワーク装置に報告することをさらに含むことを特徴とする、
請求項１に記載の方法。
【請求項３】
前記方法は、
予め設定された期間内で、前記リソース使用パラメータが第一の閾値より小さい場合、前記第一のＤ２Ｄ装置が前記リソース使用パラメータが前記第一の閾値より小さいというイベントをネットワーク装置に報告することをさらに含むことを特徴とする、
請求項１又は２に記載の方法。
【請求項４】
前記リソース使用パラメータが前記第一の閾値より小さいというイベントは、前記ネットワーク装置が前記リソースプールを縮小又は統合するようにトリガすることに用いられ、
前記第一のＤ２Ｄ装置が前記リソース使用パラメータが前記第一の閾値より小さいというイベントをネットワーク装置に報告した後に、前記方法は、
前記第一のＤ２Ｄ装置が前記リソースプールの使用を一時停止することをさらに含み、
前記Ｄ２Ｄ装置が前記リソースプールの使用を一時停止することは、
前記第一のＤ２Ｄ装置が前記ネットワーク装置から送信された第一の指示情報を受信することと、
前記第一のＤ２Ｄ装置が前記第一の指示情報に基づいて前記リソースプールの使用を一時停止することとを含み、
前記第一の指示情報が前記リソースプールの使用を一時停止するように前記Ｄ２Ｄ装置に指示することに用いられることを特徴とする、
請求項２又は３に記載の方法。
【請求項５】
前記方法は、
前記リソース使用パラメータが第二の閾値より大きい場合、前記ネットワーク装置が前記リソースプールのリソースを再割り当てることができるように、前記第一のＤ２Ｄ装置が前記リソース使用パラメータが前記第二の閾値より大きいというイベントをネットワーク装置に報告することをさらに含むことを特徴とする、
請求項１乃至４のいずれか１項に記載の方法。
【請求項６】
前記方法は、
前記リソース使用パラメータが第二の閾値より大きい場合、前記第一のＤ２Ｄ装置がリソースプールを再選択することをさらに含むことを特徴とする、
請求項１乃至５のいずれか１項に記載の方法。
【請求項７】
前記方法は、
前記リソース使用パラメータが第二の閾値より小さく且つ第三の閾値より大きい場合、
前記ネットワーク装置が前記リソースプールのリソースを衝突回避の方式で使用するように前記リソースプールのＤ２Ｄ装置に指示することができるように、前記第一のＤ２Ｄ装置が前記リソース使用パラメータが前記第二の閾値より小さく且つ前記第三の閾値より大きいというイベントをネットワーク装置に報告することと、
前記第一のＤ２Ｄ装置が前記リソースプールの他のＤ２Ｄ装置へ第二の指示情報を送信し、前記第二の指示情報が前記リソースプールのリソースを衝突回避の方式で使用するように前記他のＤ２Ｄ装置に指示することに用いられることと、
前記ネットワーク装置が前記リソースプールのリソースを再割り当てることができるように、前記第一のＤ２Ｄ装置が前記リソース使用パラメータが前記第二の閾値より小さく且つ前記第三の閾値より大きいというイベントをネットワーク装置に報告することと、
のうちの少なくとも一つを実施することをさらに含むことを特徴とする、
請求項１乃至６のいずれか１項に記載の方法。
【請求項８】
前記第一のＤ２Ｄ装置がリソースプールのリソース使用パラメータを確定することは、  前記第一のＤ２Ｄ装置が前記リソースプールの予め設定されたリソースで前記リソースプールの他のＤ２Ｄ装置から送信されたスケジューリング情報を受信することと、
前記Ｄ２Ｄ装置が前記スケジューリング情報に基づき、前記リソース使用パラメータを確定することとを含み、
前記スケジューリング情報が前記他のＤ２Ｄ装置のデータを搬送するリソースの前記リソースプールでの位置を示すことに用いられることを特徴とする、
請求項１乃至７のいずれか１項に記載の方法。
【請求項９】
前記第一のＤ２Ｄ装置がリソースプールのリソース使用パラメータを確定することは、
前記第一のＤ２Ｄ装置が前記リソースプールのリソースを使用するＤ２Ｄ信号のエネルギーを検出すること、
前記第一のＤ２Ｄ装置が前記Ｄ２Ｄ信号のエネルギーに基づき、前記リソース使用パラメータを確定することを含むことを特徴とする、
請求項１乃至７のいずれか１項に記載の方法。
【請求項１０】
前記リソースプールのＤ２Ｄ装置の伝送内容が優先度を有し、前記リソース使用パラメータが第二の閾値より大きい場合、前記第一のＤ２Ｄ装置はＤ２Ｄ通信を衝突回避の方式で行い、又はＤ２Ｄ通信を停止し、又は
前記リソース使用パラメータが第二の閾値より小さく且つ第三の閾値より大きい場合、前記第一のＤ２Ｄ装置はＤ２Ｄ通信を衝突回避の方式で行い、又はＤ２Ｄ通信を停止することを特徴とする、
請求項１乃至９のいずれか１項に記載の方法。
【請求項１１】
前記リソースプールの各Ｄ２Ｄ装置の伝送内容の優先度情報は前記各Ｄ２Ｄ装置によって予め設定されたリソースで送信されたスケジューリング情報に含まれることを特徴とする、
請求項１０に記載の方法。
【請求項１２】
前記方法は、
前記第一のＤ２Ｄ装置がネットワーク装置から送信された第三の指示情報を受信することと、
前記第一のＤ２Ｄ装置が前記第三の指示情報に基づいてＤ２Ｄ通信を衝突回避の方式で行い、又はＤ２Ｄ通信を停止することと、
をさらに含み、
前記第三の指示情報がＤ２Ｄ通信を衝突回避の方式で行い、又はＤ２Ｄ通信を停止するように前記リソースプールの伝送内容の優先度が優先度閾値以下であるＤ２Ｄ装置に指示することに用いられることを特徴とする、
請求項１０又は１１に記載の方法。
【請求項１３】
前記方法は、
マッピング関係を取得することをさらに含み、前記マッピング関係は、前記第一のＤ２Ｄ装置のサービスのＱｏＳニーズと前記リソース使用パラメータの第四の閾値との対応関係を示すために用いられることを特徴とする、
請求項１乃至１２のいずれか１項に記載の方法。
【請求項１４】
前記方法は、
前記第一のＤ２Ｄ装置の現在のサービスのＱｏＳニーズと前記マッピング関係とに基づいて、前記第四の閾値を確定することと、
前記リソース使用パラメータが第四の閾値より大きい場合、
現在のサービス、
前記現在のサービス内の第一の少なくとも部分のサービスに対応するサービス品質ＱｏＳニーズ、
前記リソース使用パラメータ、又は、
前記第一のＤ２Ｄ装置が現在サービス内の第二の少なくとも部分のサービスを処理する時に使用される動作モードを、セルラーネットワークインタフェースに基づいてＤ２Ｄ通信を行うモードに切り替えるためのリクエスト、
のうちの少なくとも一つを、前記ネットワーク装置に送信することと、をさらに含むことを特徴とする、
請求項１３に記載の方法。
【請求項１５】
前記マッピング関係は、ネットワーク装置により予め設定されるものであり、マッピング関係を取得することは、ネットワーク装置がブロードキャスト、マルチキャスト、ユニキャスト、又は専用シグナリングを介して送信される前記マッピング関係を受信することを含むことを特徴とする、
請求項１３又は１４に記載の方法。
【請求項１６】
前記リソース使用パラメータは、特定の期間内で占有される前記リソースが前記リソースプールの総リソースに占める割合を示すことに用いられ、又は、前記リソース使用パラメータは、特定の期間内で前記衝突リソースが前記リソースプールの総リソースに占める割合を示すことに用いられることを特徴とする、
請求項１乃至１５のいずれか１項に記載の方法。
【請求項１７】
デバイスツーデバイスＤ２Ｄ装置であって、
プログラムが記憶されるように構成されるメモリと、
前記メモリに記憶されるプログラムを実行し、前記プログラムが実行される時に、請求項１乃至１６のいずれか１項に記載の方法を実行するように構成されるプロセッサと
を含む、
デバイスツーデバイスＤ２Ｄ装置。
【請求項１８】
チップであって、
メモリからコンピュータプログラムを呼び出して実行し、前記チップを装着する装置が請求項１乃至１６のいずれか１項を実行するようにするためのプロセッサを含む、
チップ。
【国際調査報告】
2019513319.tif 000009
2019513319.tif 000010
2019513319.tif 000011
2019513319.tif 000012
2019513319.tif 000013
2019513319.tif 000014